(57)【要約】【課題】コンテンツを所定の記録メディアに、所定の記録レートで記録する場合の記録可能時間と、該コンテンツの配信時間との関係を電子番組表上で一見して把握することができるようにする。【解決手段】放送番組のうちＢＤ/ＤＶＤ３３等に対する録画を予約する予約番組及びその放送時間を特定する予約番組特定部２４１と、ＢＤ/ＤＶＤ３３等の空き容量を特定する空き容量特定部２４４と、ＢＤ/ＤＶＤ３３等に予約番組を録画するときの録画レートＲを調整する録画レート調整部２４３と、予約番組特定部２４１によって特定された予約番組を録画レート調整部２４３によって調整された録画レートＲで録画するときの録画可能時間を特定する録画可能時間特定部２４５と、録画可能時間特定部２４５が特定した録画可能時間を、予約番組特定部２４１が特定した放送時間と対比可能に電子番組表上に表示するＥＰＧ表示処理部２４６とを備える。【選択図】図１
2010273217.tif 000002
【特許請求の範囲】
【請求項１】
電子番組表情報上に表示された番組コンテンツを所定の記録メディアに記録することが可能な情報表示/記録装置であって、
前記電子番組表情報上に表示された番組コンテンツのうち、記録を予約する予約コンテンツを特定する予約コンテンツ特定手段と、
前記予約コンテンツ特定手段によって特定された予約コンテンツの配信時間を特定する配信時間特定手段と、
前記予約コンテンツを記録するときの記録レートを調整する記録レート調整手段と、
前記記録メディアの空き容量を特定する空き容量特定手段と、
前記空き容量特定手段によって特定された前記空き容量の範囲内に、前記記録レート調整手段によって調整された記録レートで記録するときの記録可能時間を特定する記録可能時間特定手段と、
前記記録可能時間特定手段が特定した記録可能時間を、前記配信時間特定手段が特定した配信時間と対比可能に前記電子番組表情報上に表示する表示制御手段とを備えていることを特徴とする情報表示/記録装置。
【請求項２】
前記電子番組表情報は、番組コンテンツ毎に設けられ、所定の時間軸に沿う番組枠を含んでおり、
前記表示制御手段は、前記予約コンテンツの配信時間を、その予約コンテンツに対応する番組枠に沿う予約番組領域のサイズと対応付けて表示し、前記記録可能時間を、前記番組枠の番組開始位置を基準位置とし前記時間軸に沿う記録可能領域のサイズと対応付けて表示することを特徴とする請求項１に記載の情報表示/記録装置。
【請求項３】
前記表示制御手段は、前記予約番組領域と前記記録可能領域とを、前記予約番組領域の面積に対する前記記録可能領域の面積の比が、前記記録可能時間に対する前記配信時間の比と等しくなるように前記電子番組表情報上に表示することを特徴とする請求項２に記載の情報表示/記録装置。
【請求項４】
前記記録レート調整手段によって調整された記録レートで前記予約コンテンツを記録する記録制御手段を備えていることを特徴とする請求項１から３までのいずれか１項に記載の情報表示/記録装置。
【請求項５】
前記空き容量特定手段は、前記記録メディアへの記録が既に予約されているコンテンツを記録するのに必要な記録容量を、前記記録メディアの空き容量から除外するか否かを、ユーザの選択に従って決定することを特徴とする請求項１から４までのいずれか１項に記載の情報表示/記録装置。
【請求項６】
種類の異なる記録メディアが存在している場合に、ユーザの指定に従って前記予約コンテンツを種類の異なる記録メディアのそれぞれに分散して記録するか否かを決定すると共に、分散して記録する場合には、前記記録メディアのそれぞれの種類と記録順序とを決定し、分散して記録しない場合には、前記予約コンテンツを記録する記録メディアの種類を決定する記録メディア決定手段を備えており、
前記表示制御手段は、前記分散して記録する場合には、前記記録メディア決定手段によって決定された記録メディアの種類及び記録順序に従って、又は、前記分散して記録しない場合には、前記記録メディア決定手段によって決定された記録メディアの種類に従って、前記記録可能時間を、前記配信時間と対比可能に前記電子番組表情報上に表示し、
前記記録制御手段は、前記分散して記録する場合には、前記記録メディア決定手段によって決定された記録メディアの種類及び記録順序に従って、又は、前記分散して記録しない場合には、前記記録メディア決定手段によって決定された記録メディアの種類に従って、前記予約コンテンツを記録することを特徴とする請求項４に記載の情報表示/記録装置。
【請求項７】
規格の異なる記録メディアが存在している場合に、ユーザの指定に従って前記予約コンテンツを規格の異なる記録メディアのそれぞれに分散して記録するか否かを決定すると共に、分散して記録する場合には、前記規格の異なる記録メディアへの記録順序を決定し、分散して記録しない場合には、前記予約コンテンツを何れの規格の記録メディアに記録するかを決定する記録メディア決定手段を備えており、
前記表示制御手段は、前記分散して記録する場合には、前記記録メディア決定手段によって決定された規格の異なる記録メディアへの記録順序に従って、又は、前記分散して記録しない場合には、前記記録メディア決定手段によって決定された規格の記録メディアでの、前記記録可能時間を、前記配信時間と対比可能に前記電子番組表情報上に表示し、
前記記録制御手段は、前記分散して記録する場合には、前記記録メディア決定手段によって決定された前記規格の異なる記録メディアへの記録順序を決定し、又は、前記分散して記録しない場合には、前記記録メディア決定手段によって決定された規格の記録メディアに、前記予約コンテンツを記録することを特徴とする請求項４に記載の情報表示/記録装置。
【請求項８】
前記記録メディアに規格の異なる情報記録領域が存在している場合に、ユーザの指定に従って前記予約コンテンツを規格の異なる情報記録領域のそれぞれに分散して記録するか否かを決定すると共に、分散して記録する場合には、前記規格の異なる情報記録領域への記録順序を決定し、分散して記録しない場合には、前記予約コンテンツを何れの規格の情報記録領域に記録するかを決定する記録メディア決定手段を備えており、
前記表示制御手段は、前記分散して記録する場合には、前記記録メディア決定手段によって決定された規格の異なる情報記録領域への記録順序に従って、又は、前記分散して記録しない場合には、前記記録メディア決定手段によって決定された規格の情報記録領域での、前記記録可能時間を、前記配信時間と対比可能に前記電子番組表情報上に表示し、
前記記録制御手段は、前記分散して記録する場合には、前記記録メディア決定手段によって決定された規格の異なる情報記録領域への記録順序に従って、又は、前記分散して記録しない場合には、前記記録メディア決定手段によって決定された規格の情報記録領域に、前記予約コンテンツを記録することを特徴とする請求項４に記載の情報表示/記録装置。
【請求項９】
同一規格で複数の記録メディアが存在している場合に、ユーザの指定に従って前記予約コンテンツを同一規格で複数の記録メディアのそれぞれに分散して記録するか否かを決定すると共に、分散して記録する場合には、前記同一規格で複数の記録メディアへの記録順序を決定し、分散して記録しない場合には、前記予約コンテンツを同一規格の複数の記録メディアの何れに記録するかを決定する記録メディア決定手段を備えており、
前記表示制御手段は、前記分散して記録する場合には、前記記録メディア決定手段によって決定された同一規格で複数の記録メディアへの記録順序に従って、又は、前記分散して記録しない場合には、前記記録メディア決定手段によって決定された記録メディアでの、前記記録可能時間を、前記配信時間と対比可能に前記電子番組表情報上に表示し、
前記記録制御手段は、前記分散して記録する場合には、前記記録メディア決定手段によって決定された前記同一規格で複数の記録メディアへの記録順序を決定し、又は、前記分散して記録しない場合には、前記記録メディア決定手段によって決定された記録メディアに、前記予約コンテンツを記録することを特徴とする請求項４に記載の情報表示/記録装置。
【請求項１０】
前記記録メディアに同一規格で複数の情報記録領域が存在している場合に、ユーザの指定に従って前記予約コンテンツを同一規格で複数の情報記録領域のそれぞれに分散して記録するか否かを決定すると共に、分散して記録する場合には、前記同一規格で複数の情報記録領域への記録順序を決定し、分散して記録しない場合には、前記予約コンテンツを同一規格で複数の情報記録領域の何れに記録するかを決定する記録メディア決定手段を備えており、
前記表示制御手段は、前記分散して記録する場合には、前記記録メディア決定手段によって決定された同一規格で複数の情報記録領域への記録順序に従って、又は、前記分散して記録しない場合には、前記記録メディア決定手段によって決定された情報記録領域での、前記記録可能時間を、前記配信時間と対比可能に前記電子番組表情報上に表示し、
前記記録制御手段は、前記分散して記録する場合には、前記記録メディア決定手段によって決定された同一規格で複数の情報記録領域への記録順序に従って、又は、前記分散して記録しない場合には、前記記録メディア決定手段によって決定された情報記録領域に、前記予約コンテンツを記録することを特徴とする請求項４に記載の情報表示/記録装置。
【請求項１１】
前記予約コンテンツが、複数のコンテンツである場合に、
前記記録可能時間は、前記複数のコンテンツのそれぞれを前記記録レートで記録したときの記録時間の総和であることを特徴とする請求項１から１０までのいずれか１項に記載の情報表示/記録装置。
【請求項１２】
前記予約コンテンツは、回を追って公表される複数のコンテンツ又は１回分ずつを逐次公表して完成する複数のコンテンツであり、
前記記録制御手段は、回を追って公表される複数のコンテンツ又は１回分ずつを逐次公表して完成する複数のコンテンツのそれぞれを、それらの公表された順序に従って連続して記録することを特徴とする請求項４に記載の情報表示/記録装置。
【請求項１３】
前記予約コンテンツ特定手段は、ユーザが指定した前記番組枠に対応する番組コンテンツを前記予約コンテンツとして特定することを特徴とする請求項２に記載の情報表示/記録装置。
【請求項１４】
請求項１から１３までのいずれか１項に記載の情報表示/記録装置における各手段としてコンピュータを動作させるための情報表示/記録プログラム。
【請求項１５】
請求項１４に記載の情報表示/記録プログラムを記録したコンピュータ読取可能な記録媒体。
【請求項１６】
電子番組表情報上に表示されたコンテンツを所定の記録メディアに記録することが可能な情報表示/記録装置の制御方法であって、
前記電子番組表情報上に表示された番組コンテンツのうち、記録を予約する予約コンテンツを特定する予約コンテンツ特定ステップと、
前記予約コンテンツ特定ステップで特定された予約コンテンツの配信時間を特定する配信時間特定ステップと、
前記予約コンテンツを記録するときの記録レートを調整する記録レート調整ステップと、
前記記録メディアの空き容量を特定する空き容量特定ステップと、
前記空き容量特定ステップで特定された前記空き容量の範囲内に、前記記録レート調整ステップで調整された記録レートで記録するときの記録可能時間を特定する記録可能時間特定ステップと、
前記記録可能時間特定ステップで特定した記録可能時間を、前記配信時間特定ステップで特定した配信時間と対比可能に前記電子番組表情報上に表示する表示制御ステップとを含んでいることを特徴とする情報表示/記録装置の制御方法。
【発明の詳細な説明】
【技術分野】
【０００１】
本発明は、情報表示/記録装置、情報表示/記録プログラム、コンピュータ読み取り可能な記録媒体及び情報表示/記録装置の制御方法に関し、より具体的には、電子番組表（ＥＰＧ：Electronic Program Guide）を表示する情報表示/記録装置などに関する。
【背景技術】
【０００２】
近年、デジタル放送の普及に伴い多チャンネル時代に突入し、放送番組の情報を新聞のテレビ欄等から取得することは、限界に達しつつある。
【０００３】
デジタルテレビやＢＤ（Blu-ray Disc；登録商標）及びＤＶＤ（Digital Versatile Disc）等のディスクメディアが装填されるか、ＨＤＤ（Hard Disc Drive）など記録メディアを内蔵する電子機器においては、番組予約を容易に行うため、放送番組を一覧する電子番組表が利用されている。
【０００４】
電子番組表は、放送番組毎に分割された番組枠からなり、ユーザはこの電子番組表から予約を所望する番組を選択・確定して、録画や視聴の予約を行うため、電子番組表の利用に関するユーザの利便性を向上させる、種々の表示方法等が提案されている。
【０００５】
例えば、ＢＤ及びＤＶＤ等のディスクメディアが装填されるか、ＨＤＤなど記録メディアを内蔵する電子機器においては、電子番組表での選択・確定後に遷移する録画設定画面表示にて、記録メディアの録画残時間が「＊＊時間＊＊分」などの形式で表示画面上に表示されるようになっているものがある。
【０００６】
このような従来の電子番組表からの番組予約方法等の例として特許文献１に開示された番組予約装置及び番組記録再生装置がある。
【０００７】
この特許文献１に開示された番組予約装置及び番組記録再生装置は、テレビに記録再生装置を外部接続し、テレビの画面上に表示した電子番組表の番組枠内に、録画する記録メディアの種別、記録態様及び記録メディアの空き容量情報などを一つのアイコンで電子番組表と一体表示することで予約状況を一見して把握できるようになっている。
【０００８】
また、その他の例としては、特許文献２に開示された電子番組ガイド表示制御装置がある。
【０００９】
この特許文献１に開示された電子番組ガイド表示制御装置は、電子番組表上で、外部接続した録画装置の録画可能な空き容量や予約状況を含む録画装置情報を取り込み、電子番組表の番組情報欄に同時表示することで、容易に所望の放送番組を最適な録画装置に録画予約できるようになっている。
【００１０】
また、録画予約完了後、「何月何日で容量が不足する」との警告を表示されるものや、ＨＤＤ等に記録された放送番組をディスクメディアにＣｏｐｙ（保存）する場合に、タイトル選択毎にＣｏｐｙ可否のメッセージが表示されるものもある。
【先行技術文献】
【特許文献】
【００１１】
【特許文献１】特開２００６−２２９７９２号公報（２００６年８月３１日公開）
【特許文献２】特開２００１−３３９６９６号公報（２００１年１２月７日公開）
【発明の概要】
【発明が解決しようとする課題】
【００１２】
しかしながら、前記従来の電子番組表表示方法等では、電子番組表上で、番組枠単位で番組を選択する際に、所定の記録メディアへの記録可能時間（録画残時間）と選択している放送番組の放送時間（配信時間）との対応関係が分かり難いという問題点がある。
【００１３】
例えば、従来の電子番組表表示方法等では、録画したい番組を選ぶ電子番組表画面と録画設定画面とは、通常別々の画面となっており、録画の設定を行うには、電子番組表画面から録画設定画面に切り替える必要がある。
【００１４】
このため、電子番組表上で番組枠を選択した状態で、放送時間と記録メディアへの録画可能時間とを相対的に視認することができない。
【００１５】
すなわち、電子番組表上では、予約を所望する番組が選択されているだけで、該番組を記録するための、記録メディアの残量の過不足が把握し難い。また録画設定画面では、記録レートの調整は可能であるが、電子番組表上で番組を選択した状態で、記録レートを調整して、ユーザの多様なニーズに合せた記録レートの調整ができないという課題がある。例えば、電子番組表で選択した１番組単位でしか録画設定できない。
【００１６】
また、一般に２５０ＧＢ以上、最大で１ＴＢ程度の大容量のＨＤＤに比べ、ＢＤは２５ＧＢ又は５０ＧＢ、並びに、ＤＶＤは４．７ＧＢ程度の記録容量しか無く、このように録画時間に限度があるため録画する際の残量（空き容量）によっては録画が途中で途絶えてしまうという問題点がある。
【００１７】
また、他に録画をバックアップする記録メディアが無い場合、録画した放送番組を見逃してしまうと共に記録メディアにも中途半端に放送番組が録画されてしまうとういう問題点もある。
【００１８】
本発明は、前記従来の問題点に鑑みなされたものであって、その目的は、コンテンツを所定の記録メディアに、所定の記録レートで記録する場合の記録可能時間と、該コンテンツの配信時間との関係を電子番組表上で一見して把握することができる情報記録/再生装置などを提供することにある。
【課題を解決するための手段】
【００１９】
本発明の情報表示/記録装置は、前記課題を解決するために、電子番組表情報上に表示された番組コンテンツを所定の記録メディアに記録することが可能な情報表示/記録装置であって、前記電子番組表情報上に表示された番組コンテンツのうち、記録を予約する予約コンテンツを特定する予約コンテンツ特定手段と、前記予約コンテンツ特定手段によって特定された予約コンテンツの配信時間を特定する配信時間特定手段と、前記予約コンテンツを記録するときの記録レートを調整する記録レート調整手段と、前記記録メディアの空き容量を特定する空き容量特定手段と、前記空き容量特定手段によって特定された前記空き容量の範囲内に、前記記録レート調整手段によって調整された記録レートで記録するときの記録可能時間を特定する記録可能時間特定手段と、前記記録可能時間特定手段が特定した記録可能時間を、前記配信時間特定手段が特定した配信時間と対比可能に前記電子番組表情報上に表示する表示制御手段とを備えていることを特徴とする。
【００２０】
また、本発明の情報表示/記録装置の制御方法は、前記課題を解決するために、電子番組表情報上に表示されたコンテンツを所定の記録メディアに記録することが可能な情報表示/記録装置の制御方法であって、前記電子番組表情報上に表示された番組コンテンツのうち、記録を予約する予約コンテンツを特定する予約コンテンツ特定ステップと、前記予約コンテンツ特定ステップで特定された予約コンテンツの配信時間を特定する配信時間特定ステップと、前記予約コンテンツを記録するときの記録レートを調整する記録レート調整ステップと、前記記録メディアの空き容量を特定する空き容量特定ステップと、前記空き容量特定ステップで特定された前記空き容量の範囲内に、前記記録レート調整ステップで調整された記録レートで記録するときの記録可能時間を特定する記録可能時間特定ステップと、前記記録可能時間特定ステップで特定した記録可能時間を、前記配信時間特定ステップで特定した配信時間と対比可能に前記電子番組表情報上に表示する表示制御ステップとを含んでいることを特徴とする。
【００２１】
前記構成又は方法によれば、本発明の情報表示/記録装置は、電子番組表情報上に表示されたコンテンツを所定の記録メディアに記録することが可能な装置である。
【００２２】
よって、電子番組表情報上に表示されたコンテンツを所定の記録メディアに記録することができる。
【００２３】
また、予約コンテンツ特定手段又は予約コンテンツ特定ステップでは、前記電子番組表情報上に表示された番組コンテンツのうち、記録を予約する予約コンテンツを特定する。
【００２４】
これにより、前記電子番組表情報上に表示された番組コンテンツのうち、記録を予約するコンテンツと、記録を予約しないコンテンツとを区別することができる。
【００２５】
また、前記構成又は方法によれば、空き容量特定手段又は空き容量特定ステップでは、前記記録メディアの空き容量を特定するようになっている。よって、記録メディアに記録することのできる限界の情報量である空き容量を特定することができる。
【００２６】
また、前記構成又は方法によれば、記録レート調整手段又は記録レート調整ステップでは、前記記録メディアに前記予約コンテンツを記録するときの記録レートを調整するようになっている。
【００２７】
これにより、所望の記録レートで予約コンテンツを記録メディアに記録することが可能となる。
【００２８】
また、前記構成又は方法によれば、前記記録可能時間特定手段又は記録可能時間特定ステップでは、前記空き容量特定手段によって、又は前記空き容量特定ステップで特定された前記空き容量の範囲内に、前記記録レート調整手段によって、又は前記記録レート調整ステップで調整された記録レートで記録するときの記録可能時間を特定するようになっている。
【００２９】
また、前記構成又は方法によれば、前記表示制御手段又は表示制御ステップでは、前記記録可能時間特定手段又は前記記録可能時間特定ステップで特定した記録可能時間を、前記配信時間特定手段によって、又は前記配信時間特定ステップで特定された配信時間と対比可能に前記電子番組表情報上に表示するようになっている。
【００３０】
よって、ユーザが表示部に表示された電子番組表情報を視認することにより、コンテンツを所定の記録メディアに、所定の記録レートで記録する場合の記録可能時間と、該コンテンツの配信時間との関係を電子番組表上で一見して把握することができる。
【００３１】
ここで、「コンテンツ」とは、コンピュータの処理対象となる情報のことであり、主としてワンセグ、３セグ、地上波、ＢＳ（Broadcasting Satellite）及びＣＳ（Communication Satellite）ケーブルなどのデジタル放送コンテンツが好例であるが、インターネットが普及した今日では、このような放送コンテンツに限られず、インターネットを介して配信される情報であれば、何でも良く、画像、動画、音楽、音声データ及びメール等のテキストデータ、ＷＥＢページに掲載されているデータ、写真やカメラ立ち上げ時のファインダ画面などや、データベースに蓄積されたデータなどを含む広い概念である。
【００３２】
また、「コンテンツ」のデータ形式及びデータ圧縮方式の規約としては、音楽に関する規約として、ＡＡＣ（Advanced Audio Coding）、ＷＡＶ（Windows＜登録商標＞の音声データの標準的なファイル形式。ＷＡＶＥファイルやＷＡＶＥサウンドファイルとも呼ばれる。）、ＭＰ３（MPEG-1 Audio Layer 3）及びＭＰ４（MPEG-1 Audio Layer 4）などが例示できる。
【００３３】
静止画像に関する規約としては、ＧＩＦ形式（米国CompuServe社＜登録商標＞が開発した画像データ形式）やＪＰＥＧ形式（ＩＴＵ−Ｔ「国際電気通信連合電気通信標準化部門」とＩＳＯ「国際標準規格」によって標準技術として勧告された、フルカラー又はグレースケールの静止画の圧縮方式。なお、２００１年には、圧縮効率を高めたＪＰＥＧ２０００が規格化された。）などが例示できる。
【００３４】
また、ＢＭＰ形式（Windowsの標準的な画像ファイル形式）及びＰＩＣＴ形式（米国Apple社＜登録商標＞が開発したＭａｃＯＳ＜登録商標＞で標準的に利用される画像ファイル形式）なども例示できる。
【００３５】
また、動画コンテンツのデータ形式及びデータ圧縮方式の規約としては、映像に関するＦｌａｓｈ（マクロメディア＜登録商標＞が販売しているＷｅｂ用のアニメーション作成ソフト）及びＭＰＥＧ２（ＩＴＵ−ＴとＩＳＯによって標準技術として勧告された、動画や音声を圧縮・伸張する規格。現在ＭＰＥＧ方式には、ビデオＣＤなどのメディアに使用されるＭＰＥＧ１、ＤＶＤや放送メディアに使用されるＭＰＥＧ２、ネットワーク配信、携帯端末向けのＭＰＥＧ４などがある。）などが例示できる。
【００３６】
配信（通信）方式に関する規約（通信プロトコル）としては、Ｂｌｕｅｔｏｏｔｈ（登録商標）、Ｆｅｌｉｃａ（登録商標）、ＰＬＣ（power line communication）、ＷｉｒｅｌｅｓｓＬＡＮ（無線ＬＡＮ：ＷＬＡＮ）、ＩｒＤＡ（赤外線無線）、ＩｒＳＳ（赤外線無線）、ＣＤＭＡ（Code Division Multiple Access）、Ｗ‐ＣＤＭＡ（Wideband-CDMA）、ＴＤＭＡ（Time Division Multiple Access）、ＡＤＳＬ（Asymmetric Digital Subscriber Line）及び光ファイバー通信などが例示できる。
【００３７】
次に、「記録メディア」は、コンテンツが記録可能な記録メディアであれば何でも良い。例えば、磁気テープやカセットテープ等のテープ系、フロッピー（登録商標）ディスク/ハードディスク等の磁気ディスクなどが例示できる。
【００３８】
また、コンパクトディスク−ＲＯＭ＜Read Only Memory＞/ＭＯ＜Magneto Optic disc＞/ＭＤ＜Magnetic Disk＞/デジタルビデオデイスク/コンパクトディスク−Ｒ等の光ディスクを含むディスク系の他、ＩＣカード（メモリカードを含む）/光カード等のカード系などＵＳＢ＜Universal Serial Bus＞メモリなどのスティック系のいずれのメモリであっても良い。
【００３９】
さらに、マスクＲＯＭ/ＥＰＲＯＭ＜Erasable Programmable ROM＞/ＥＥＰＲＯＭ＜Electrically EPROM＞/フラッシュＲＯＭ等の半導体メモリ系なども用いることができる。
【００４０】
「配信」には、無線通信による放送、有線通信による放送、アナログ放送、デジタル放送、衛星通信放送、インターネット回線を介した配信などが含まれる。
【００４１】
「配信時間」とは、例えば、放送番組の放送時間、インターネットを介して配信される動画の配信時間などが例示できる。また、「配信時間」は、例えば、電子番組表情報に含まれる番組情報から特定する。
【００４２】
「予約コンテンツ」とは所定の記録メディアに記録を予約するコンテンツのことであり、例えば、録画予約された放送番組などが例示できる。
【００４３】
「記録レート」とは、記録ビットレートとも呼ばれ、単位時間あたりに記録される情報量のことであり、単位は、Ｍｂｉｔ/ｓ（Mega-bit/second）などが例示できる。
【００４４】
なお、「記録レートを調整する」とは、現時点で設定されている記録レートを維持する場合を含む概念であり、記録レートを下げると、所定の記録メディアに対する単位時間当たりの記録情報量は多くなり、記録レートを下げると単位時間当たりの記録情報量は少なくなる。
【００４５】
また、記録レートを下げると、一般に情報の質（例えば、画質や音質）が劣化する。
【００４６】
一方、記録レートを上げると、一般に情報の質（例えば、画質や音質）が向上する。
【００４７】
「記録レート」の調整方法としては、予約コンテンツを空き容量の範囲内にピッタリ記録できるように記録レートを調整する方法、記録メディアに幾らか空き容量を残した状態で、予約コンテンツが記録できるように記録レートを調整する方法、予約コンテンツを、所定の配信時間の途中の時点まで記録できるように記録レートを調整する方法などが例示できる。
【００４８】
また、「記録可能時間」は、固定的な時間ではなく、記録レートの調整に応じて変化するようになっており、表示制御手段又は表示制御ステップでは、記録レートの調整に応じて時々刻々と変化する記録可能時間をリアルタイムに表示できるようにすることが好ましい。
【００４９】
また、本発明の情報表示/記録装置は、前記構成に加えて、前記電子番組表情報は、番組コンテンツ毎に設けられ、所定の時間軸に沿う番組枠を含んでおり、前記表示制御手段は、前記予約コンテンツの配信時間を、その予約コンテンツに対応する番組枠に沿う予約番組領域のサイズと対応付けて表示し、前記記録可能時間を、前記番組枠の番組開始位置を基準位置とし前記時間軸に沿う記録可能領域のサイズと対応付けて表示することが好ましい。
【００５０】
前記構成によれば、予約コンテンツの配信時間は、その予約コンテンツに対応する番組枠に沿う予約番組領域の（前記時間軸に沿う）サイズと対応付けて表示され、記録可能時間は、前記番組枠の番組開始位置を基準位置とし前記時間軸に沿う記録可能領域のサイズと対応付けて表示される。
【００５１】
よって、電子番組表情報上に表示された予約番組領域及び記録可能領域を視認することにより、予約コンテンツの配信時間に対して、現時点の記録レートで、どのくらいの時間までの配信分が記録可能であるかの相対関係を、電子番組表上に表示された各領域のサイズを通して一見して把握することができる。
【００５２】
ここで、「予約コンテンツの配信時間を、その予約コンテンツに対応する番組枠に沿う予約番組領域のサイズと対応付けて表示し、記録可能時間を、番組枠の番組開始位置を基準位置とし時間軸に沿う記録可能領域のサイズと対応付けて表示」とは、例えば、予約番組領域のサイズと記録可能領域のサイズを、配信時間と記録可能時間のそれぞれに比例させて予約番組領域及び録画可能領域のそれぞれを特定色のバー（時間軸に沿う矩形の棒グラフなど）で表示することなどが好例である。
【００５３】
なお、「予約番組領域及び記録可能領域」のそれぞれは、矩形領域であることが好ましい。電子番組表情報上の番組枠は、通常矩形領域であり、また、予約番組領域及び記録可能領域の時間軸に沿うサイズを示すのが容易だからである。
【００５４】
また、予約番組領域及び記録可能領域のそれぞれを矩形領域とした場合、各矩形領域を重ねて表示させても良いし、各矩形領域を時間軸に垂直な方向にずらして表示させても良い。
【００５５】
各矩形領域を時間軸に垂直な方向にずらして表示させた場合、各矩形領域の短手方向のサイズが同一である場合においても各矩形領域の一方が隠れて視認できなくなることを回避できる。
【００５６】
なお、各矩形領域を重ねて表示させた場合でも、一方の領域が他方の領域に対して透けて見えるような領域とすれば良い。これによっても各矩形領域の一方が隠れて視認できなくなることを回避できる。
【００５７】
また、矩形領域の短手方向のサイズは、時間軸とはあまり関係がないので、任意であって良い。すなわち、予約番組領域及び記録可能領域のそれぞれの矩形領域における短手方向のサイズは、同一であっても良いし、異なっていても良い。
【００５８】
各矩形領域は、時間軸に対して同一の番組枠の番組開始位置を基準位置として、時間軸の時間の進行方向に伸びる領域とすることが好ましい。
【００５９】
これにより、時間の流れに対する違和感が生じることなくコンテンツを所定の記録メディアに、所定の記録レートで記録する場合の記録可能時間と、該コンテンツの配信時間との関係を電子番組表上で一見して把握することができる。
【００６０】
また、本発明の情報表示/記録装置は、前記構成に加えて、前記表示制御手段は、前記予約番組領域と前記記録可能領域とを、前記予約番組領域の面積に対する前記記録可能領域の面積の比が、前記記録可能時間に対する前記配信時間の比と等しくなるように前記電子番組表情報上に表示することが好ましい。
【００６１】
前記構成によれば、電子番組表情報上に表示された予約番組領域の面積に対する記録可能領域の面積の比を通して、予約コンテンツの配信時間に対する記録可能時間の比を、電子番組表上で一見して把握することができる。
【００６２】
「予約番組領域の面積に対する記録可能領域の面積の比が、記録可能時間に対する配信時間の比と等しくなるように電子番組表情報上に表示」とは、例えば、配信時間と記録可能時間のそれぞれに比例させて予約番組領域及び記録可能領域のそれぞれを特定色で塗り潰して表示することなどが好例である。
【００６３】
また、本発明の情報表示/記録装置は、前記構成に加えて、前記記録レート調整手段によって調整された記録レートで前記予約コンテンツを記録する記録制御手段を備えていることが好ましい。
【００６４】
前記構成によれば、ユーザが表示部に表示された電子番組表情報を視認しつつ記録レートを調整し、所望の記録レートで予約コンテンツを記録することができる。
【００６５】
また、本発明の情報表示/記録装置は、前記構成に加えて、前記空き容量特定手段は、前記記録メディアへの記録が既に予約されているコンテンツを記録するのに必要な記録容量を、前記記録メディアの空き容量から除外するか否かを、ユーザの選択に従って決定しても良い。
【００６６】
前記構成によれば、記録メディアへの記録が既に予約されているコンテンツを記録するときの記録情報量を、前記記録メディアの空き容量から除外するので、電子番組表情報を視認しながら予約コンテンツの記録を予約する際に、既予約の予約コンテンツを含めるか、含めないかの選択が可能となる。
【００６７】
また、本発明の情報表示/記録装置は、前記構成に加えて、種類の異なる記録メディアが存在している場合に、ユーザの指定に従って前記予約コンテンツを種類の異なる記録メディアのそれぞれに分散して記録するか否かを決定すると共に、分散して記録する場合には、前記記録メディアのそれぞれの種類と記録順序とを決定し、分散して記録しない場合には、前記予約コンテンツを記録する記録メディアの種類を決定する記録メディア決定手段を備えており、前記表示制御手段は、前記分散して記録する場合には、前記記録メディア決定手段によって決定された記録メディアの種類及び記録順序に従って、又は、前記分散して記録しない場合には、前記記録メディア決定手段によって決定された記録メディアの種類に従って、前記記録可能時間を、前記配信時間と対比可能に前記電子番組表情報上に表示し、前記記録制御手段は、前記分散して記録する場合には、前記記録メディア決定手段によって決定された記録メディアの種類及び記録順序に従って、又は、前記分散して記録しない場合には、前記記録メディア決定手段によって決定された記録メディアの種類に従って、前記予約コンテンツを記録しても良い。
【００６８】
前記構成によれば、記録メディア決定手段は、種類の異なる記録メディアが存在している場合に、ユーザの指定に従って前記予約コンテンツを種類の異なる記録メディアのそれぞれに分散して記録するか否かを決定する。
【００６９】
記録メディア決定手段は、分散して記録する場合には、前記記録メディアのそれぞれの種類と記録順序とを決定する。
【００７０】
このとき、表示制御手段は、前記記録メディア決定手段によって決定された記録メディアの種類及び記録順序に従って、前記記録可能時間を前記配信時間と対比可能に前記電子番組表情報上に表示する。また、記録制御手段は、前記記録メディア決定手段によって決定された記録メディアの種類及び記録順序に従って前記予約コンテンツを記録する。
【００７１】
一方、記録メディア決定手段は、分散して記録しない場合には、前記予約コンテンツを記録する記録メディアの種類を決定する。
【００７２】
このとき、表示制御手段は、前記記録メディア決定手段によって決定された記録メディアの種類に従って、前記記録可能時間を前記配信時間と対比可能に前記電子番組表情報上に表示する。また、前記記録制御手段は、前記記録メディア決定手段によって決定された記録メディアの種類に従って、前記予約コンテンツを記録する。
【００７３】
よって、表示された記録メディアの種類を確認しながら、種類の異なる記録メディアへの分散記録と、１種類の記録メディアへの非分散記録との選択が可能となる。
【００７４】
「記録メディアの種類」とは、異なる記録特性を持つ記録媒体同士を種類が異なる記録メディアとしても良いし、同一の記録特性を持つ記録媒体でもシリアル番号が異なる記録媒体同士を種類が異なる記録メディアとしても良い。
【００７５】
「予約コンテンツを記録するときの記録順序」は、少ない記録媒体数で記録できるので記録容量の大きな記録媒体から小さな記録媒体へ順次記録することが好ましいが、逆に記録容量の小さな記録媒体から大きな記録媒体へ順次記録するようにしても良い。また、ユーザが所望の記録順序を指定できるようにしても良い。
【００７６】
さらに、他の情報と混在しないようにするため、全く情報が記録されていない種類の記録メディアを優先的に選択して記録するようにすることが好ましいが、逆に途中まで何らかの情報が既に記録されている種類の記録メディアから優先的に記録するようにしても良い。
【００７７】
また、本発明の情報表示/記録装置は、前記構成に加えて、規格の異なる記録メディアが存在している場合に、ユーザの指定に従って前記予約コンテンツを規格の異なる記録メディアのそれぞれに分散して記録するか否かを決定すると共に、分散して記録する場合には、前記規格の異なる記録メディアへの記録順序を決定し、分散して記録しない場合には、前記予約コンテンツを何れの規格の記録メディアに記録するかを決定する記録メディア決定手段を備えており、前記表示制御手段は、前記分散して記録する場合には、前記記録メディア決定手段によって決定された規格の異なる記録メディアへの記録順序に従って、又は、前記分散して記録しない場合には、前記記録メディア決定手段によって決定された規格の記録メディアでの、前記記録可能時間を、前記配信時間と対比可能に前記電子番組表情報上に表示し、前記記録制御手段は、前記分散して記録する場合には、前記記録メディア決定手段によって決定された前記規格の異なる記録メディアへの記録順序を決定し、又は、前記分散して記録しない場合には、前記記録メディア決定手段によって決定された規格の記録メディアに、前記予約コンテンツを記録しても良い。
【００７８】
前記構成によれば、記録メディア決定手段は、規格の異なる記録メディアが存在している場合に、ユーザの指定に従って前記予約コンテンツを規格の異なる記録メディアのそれぞれに分散して記録するか否かを決定する。
【００７９】
記録メディア決定手段は、分散して記録する場合には、前記規格の異なる記録メディアへの記録順序を決定する。
【００８０】
このとき、表示制御手段は、前記記録メディア決定手段によって決定された規格の異なる記録メディアへの記録順序に従って、前記記録可能時間を前記配信時間と対比可能に前記電子番組表情報上に表示する。また、記録制御手段は、前記記録メディア決定手段によって決定された前記規格の異なる記録メディアへの記録順序に従って前記予約コンテンツを記録する。
【００８１】
一方、記録メディア決定手段は、分散して記録しない場合には、前記予約コンテンツを記録する規格の記録メディアを決定する。
【００８２】
このとき、表示制御手段は、前記記録メディア決定手段によって決定された規格の記録メディアでの、前記記録可能時間を前記配信時間と対比可能に前記電子番組表情報上に表示する。また、前記記録制御手段は、前記記録メディア決定手段によって決定された規格の記録メディアに、前記予約コンテンツを記録する。
【００８３】
よって、表示された規格の異なる記録メディアを確認しながら、規格の異なる記録メディアへの分散記録と、１つの規格の記録メディアへの非分散記録との選択が可能となる。
【００８４】
「記録メディアの規格」とは、ＣＤ、ＤＶＤ、ＢＤなどの記録再生光の波長によって区別される規格であっても良いし、異なる記録特性を持つ記録媒体同士を規格が異なる記録メディアとしても良い。
【００８５】
「予約コンテンツを記録するときの記録順序」は、少ない記録媒体数で記録できるので記録容量の大きな規格の記録媒体から小さな規格の記録媒体へ順次記録することが好ましいが、逆に記録容量の小さな規格の記録媒体から大きな規格の記録媒体へ順次記録するようにしても良い。また、ユーザが所望の記録順序を指定できるようにしても良い。
【００８６】
さらに、他の情報と混在しないようにするため、全く情報が記録されていない規格の記録媒体を優先的に選択して記録するようにすることが好ましいが、逆に途中まで何らかの情報が既に記録されている規格の記録媒体から優先的に記録するようにしても良い。
【００８７】
また、本発明の情報表示/記録装置は、前記構成に加えて、前記記録メディアに規格の異なる情報記録領域が存在している場合に、ユーザの指定に従って前記予約コンテンツを規格の異なる情報記録領域のそれぞれに分散して記録するか否かを決定すると共に、分散して記録する場合には、前記規格の異なる情報記録領域への記録順序を決定し、分散して記録しない場合には、前記予約コンテンツを何れの規格の情報記録領域に記録するかを決定する記録メディア決定手段を備えており、前記表示制御手段は、前記分散して記録する場合には、前記記録メディア決定手段によって決定された規格の異なる情報記録領域への記録順序に従って、又は、前記分散して記録しない場合には、前記記録メディア決定手段によって決定された規格の情報記録領域での、前記記録可能時間を、前記配信時間と対比可能に前記電子番組表情報上に表示し、前記記録制御手段は、前記分散して記録する場合には、前記記録メディア決定手段によって決定された規格の異なる情報記録領域への記録順序に従って、又は、前記分散して記録しない場合には、前記記録メディア決定手段によって決定された規格の情報記録領域に、前記予約コンテンツを記録しても良い。
【００８８】
前記構成によれば、記録メディア決定手段は、記録メディアに規格（又は種類、以下同じ）の異なる情報記録領域が存在している場合に、ユーザの指定に従って前記予約コンテンツを規格の異なる情報記録領域のそれぞれに分散して記録するか否かを決定する。
【００８９】
記録メディア決定手段は、分散して記録する場合には、前記規格の異なる情報記録領域への記録順序を決定する。
【００９０】
このとき、表示制御手段は、前記記録メディア決定手段によって決定された規格の異なる情報記録領域への記録順序に従って、前記記録可能時間を前記配信時間と対比可能に前記電子番組表情報上に表示する。また、記録制御手段は、前記記録メディア決定手段によって決定された規格の異なる情報記録領域への記録順序に従って前記予約コンテンツを記録する。
【００９１】
一方、記録メディア決定手段は、分散して記録しない場合には、前記予約コンテンツを記録する規格の情報記録領域を決定する。
【００９２】
このとき、表示制御手段は、前記記録メディア決定手段によって決定された規格の情報記録領域での、前記記録可能時間を前記配信時間と対比可能に前記電子番組表情報上に表示する。また、前記記録制御手段は、前記記録メディア決定手段によって決定された規格の情報記録領域に、前記予約コンテンツを記録する。
【００９３】
よって、表示された規格の異なる情報記録領域を確認しながら、規格の異なる情報記録領域への分散記録と、１つの規格の情報記録領域への非分散記録との選択が可能となる。
【００９４】
「情報記録領域の規格」とは、ＣＤ、ＤＶＤ、ＢＤなどの記録再生光の波長によって区別される規格であっても良いし、異なる記録特性を持つ情報記録領域同士を規格が異なる情報記録領域としても良い。
【００９５】
「予約コンテンツを記録するときの記録順序」は、少ない情報記録領域数で記録できるので記録容量の大きな規格の情報記録領域から小さな規格の情報記録領域へ順次記録することが好ましいが、逆に記録容量の小さな規格の情報記録領域から大きな規格の情報記録領域へ順次記録するようにしても良い。また、ユーザが所望の記録順序を指定できるようにしても良い。
【００９６】
さらに、他の情報と混在しないようにするため、全く情報が記録されていない規格の情報記録領域を優先的に選択して記録するようにすることが好ましいが、逆に途中まで何らかの情報が既に記録されている規格の情報記録領域から優先的に記録するようにしても良い。
【００９７】
また、本発明の情報表示/記録装置は、前記構成に加えて、同一規格で複数の記録メディアが存在している場合に、ユーザの指定に従って前記予約コンテンツを同一規格で複数の記録メディアのそれぞれに分散して記録するか否かを決定すると共に、分散して記録する場合には、前記同一規格で複数の記録メディアへの記録順序を決定し、分散して記録しない場合には、前記予約コンテンツを同一規格の複数の記録メディアの何れに記録するかを決定する記録メディア決定手段を備えており、前記表示制御手段は、前記分散して記録する場合には、前記記録メディア決定手段によって決定された同一規格で複数の記録メディアへの記録順序に従って、又は、前記分散して記録しない場合には、前記記録メディア決定手段によって決定された記録メディアでの、前記記録可能時間を、前記配信時間と対比可能に前記電子番組表情報上に表示し、前記記録制御手段は、前記分散して記録する場合には、前記記録メディア決定手段によって決定された前記同一規格で複数の記録メディアへの記録順序を決定し、又は、前記分散して記録しない場合には、前記記録メディア決定手段によって決定された記録メディアに、前記予約コンテンツを記録しても良い。
【００９８】
前記構成によれば、記録メディア決定手段は、同一規格で複数の記録メディアが存在している場合に、ユーザの指定に従って前記予約コンテンツを同一規格で複数の記録メディアのそれぞれに分散して記録するか否かを決定する。
【００９９】
記録メディア決定手段は、分散して記録する場合には、前記同一規格で複数の記録メディアへの記録順序を決定する。
【０１００】
このとき、表示制御手段は、前記記録メディア決定手段によって決定された同一規格で複数の記録メディアへの記録順序に従って、前記記録可能時間を前記配信時間と対比可能に前記電子番組表情報上に表示する。また、記録制御手段は、前記記録メディア決定手段によって決定された同一規格で複数の記録メディアへの記録順序に従って前記予約コンテンツを記録する。
【０１０１】
一方、記録メディア決定手段は、分散して記録しない場合には、前記予約コンテンツを同一規格で複数の記録メディアの何れに記録するかを決定する。
【０１０２】
このとき、表示制御手段は、前記記録メディア決定手段によって決定された記録メディアでの、前記記録可能時間を前記配信時間と対比可能に前記電子番組表情報上に表示する。また、前記記録制御手段は、前記記録メディア決定手段によって決定された記録メディアに、前記予約コンテンツを記録する。
【０１０３】
よって、表示された同一規格で複数の記録メディアを確認しながら、同一規格で複数の記録メディアへの分散記録と、同一規格で複数の中のいずれか１つの記録メディアへの非分散記録との選択が可能となる。
【０１０４】
「予約コンテンツを記録するときの記録順序」は、少ない記録媒体数で記録できるので記録容量の大きな記録媒体から小さな記録媒体へ順次記録することが好ましいが、逆に記録容量の小さな記録媒体から大きな記録媒体へ順次記録するようにしても良い。また、ユーザが所望の記録順序を指定できるようにしても良い。
【０１０５】
さらに、他の情報と混在しないようにするため、全く情報が記録されていない記録媒体を優先的に選択して記録するようにすることが好ましいが、逆に途中まで何らかの情報が既に記録されている記録媒体から優先的に記録するようにしても良い。
【０１０６】
また、本発明の情報表示/記録装置は、前記構成に加えて、前記記録メディアに同一規格で複数の情報記録領域が存在している場合に、ユーザの指定に従って前記予約コンテンツを同一規格で複数の情報記録領域のそれぞれに分散して記録するか否かを決定すると共に、分散して記録する場合には、前記同一規格で複数の情報記録領域への記録順序を決定し、分散して記録しない場合には、前記予約コンテンツを同一規格で複数の情報記録領域の何れに記録するかを決定する記録メディア決定手段を備えており、前記表示制御手段は、前記分散して記録する場合には、前記記録メディア決定手段によって決定された同一規格で複数の情報記録領域への記録順序に従って、又は、前記分散して記録しない場合には、前記記録メディア決定手段によって決定された情報記録領域での、前記記録可能時間を、前記配信時間と対比可能に前記電子番組表情報上に表示し、前記記録制御手段は、前記分散して記録する場合には、前記記録メディア決定手段によって決定された同一規格で複数の情報記録領域への記録順序に従って、又は、前記分散して記録しない場合には、前記記録メディア決定手段によって決定された情報記録領域に、前記予約コンテンツを記録しても良い。
【０１０７】
前記構成によれば、記録メディア決定手段は、記録メディアに同一規格で複数の情報記録領域が存在している場合に、ユーザの指定に従って前記予約コンテンツを同一規格で複数の情報記録領域のそれぞれに分散して記録するか否かを決定する。
【０１０８】
記録メディア決定手段は、分散して記録する場合には、前記同一規格で複数の情報記録領域への記録順序を決定する。
【０１０９】
このとき、表示制御手段は、前記記録メディア決定手段によって決定された同一規格で複数の情報記録領域への記録順序に従って、前記記録可能時間を前記配信時間と対比可能に前記電子番組表情報上に表示する。また、記録制御手段は、前記記録メディア決定手段によって決定された同一規格で複数の情報記録領域への記録順序に従って前記予約コンテンツを記録する。
【０１１０】
一方、記録メディア決定手段は、分散して記録しない場合には、前記予約コンテンツを同一規格で複数の情報記録領域の何れに記録するかを決定する。
【０１１１】
このとき、表示制御手段は、前記記録メディア決定手段によって決定された情報記録領域での、前記記録可能時間を前記配信時間と対比可能に前記電子番組表情報上に表示する。また、前記記録制御手段は、前記記録メディア決定手段によって決定された情報記録領域に、前記予約コンテンツを記録する。
【０１１２】
よって、表示された同一規格で複数の情報記録領域を確認しながら、同一規格で複数の情報記録領域への分散記録と、同一規格で複数の中のいずれか１つの情報記録領域への非分散記録との選択が可能となる。
【０１１３】
「予約コンテンツを記録するときの記録順序」は、少ない情報記録領域数で記録できるので記録容量の大きな情報記録領域から小さな情報記録領域へ順次記録することが好ましいが、逆に記録容量の小さな情報記録領域から大きな情報記録領域へ順次記録するようにしても良い。また、ユーザが所望の記録順序を指定できるようにしても良い。
【０１１４】
さらに、他の情報と混在しないようにするため、全く情報が記録されていない規格の情報記録領域を優先的に選択して記録するようにすることが好ましいが、逆に途中まで何らかの情報が既に記録されている情報記録領域から優先的に記録するようにしても良い。
【０１１５】
また、本発明の情報表示/記録装置は、前記構成に加えて、前記予約コンテンツが、複数のコンテンツである場合に、前記記録可能時間は、前記複数のコンテンツのそれぞれを前記記録レートで記録したときの記録時間の総和であることが好ましい。
【０１１６】
前記構成によれば、予約コンテンツが複数存在している場合でも、表示された電子番組表情報を視認すれば、コンテンツを所定の記録メディアに、所定の記録レートで記録する場合の記録可能時間と、該コンテンツの配信時間との関係を電子番組表上で一見して把握することができる。
【０１１７】
また、本発明の情報表示/記録装置は、前記構成に加えて、前記予約コンテンツは、回を追って公表される複数のコンテンツ又は１回分ずつを逐次公表して完成する複数のコンテンツであり、前記記録制御手段は、回を追って公表される複数のコンテンツ又は１回分ずつを逐次公表して完成する複数のコンテンツのそれぞれを、それらの公表された順序に従って連続して記録しても良い。
【０１１８】
前記構成によれば、回を追って公表されるコンテンツ又は１回分ずつを逐次公表して完成するコンテンツが公表された順序に従って連続して記録されるので、例えば、第１回放送と第３回放送を記録し、第２回放送を記録漏れさせてしまうことを防止することができる。
【０１１９】
「回を追って公表されるコンテンツ」の例としては、数年間ほぼ毎日継続している人気テレビ放送番組などが該当する。また、「１回分ずつを逐次公表して完成するコンテンツ」の例としては、連続テレビドラマなどの第１話から最終話までが該当する。
【０１２０】
前記予約コンテンツ特定手段は、ユーザが指定した前記番組枠に対応するコンテンツを前記予約コンテンツとして特定しても良い。
【０１２１】
前記構成によれば、電子番組表情報上で特定の番組コンテンツに対応する番組枠を指定するといった簡単な操作で予約コンテンツを指定することが可能となる。
【０１２２】
なお、前記情報表示/記録装置及びその制御方法における各手段、各機能、各処理、並びに、各ステップ及び各工程のそれぞれは、コンピュータによって実現してもよく、この場合には、コンピュータを前記情報表示/記録装置の各手段として動作させ、コンピュータに前記情報表示/記録装置の各機能を実現させ、若しくはコンピュータに前記情報表示/記録装置の各処理、及び前記情報表示/記録装置の制御方法の各ステップ又は各工程を実行させることにより前記情報表示/記録装置及びその制御方法を、コンピュータにて実現させる情報表示/記録プログラム及びそれを記録したコンピュータ読み取り可能な記録媒体も、本発明の範疇に入る。
【発明の効果】
【０１２３】
本発明の情報表示/記録装置は、以上のように、電子番組表情報上に表示された番組コンテンツのうち、記録を予約する予約コンテンツを特定する予約コンテンツ特定手段と、前記予約コンテンツ特定手段によって特定された予約コンテンツの配信時間を特定する配信時間特定手段と、前記予約コンテンツを記録するときの記録レートを調整する記録レート調整手段と、前記記録メディアの空き容量を特定する空き容量特定手段と、前記空き容量特定手段によって特定された前記空き容量の範囲内に、前記記録レート調整手段によって調整された記録レートで記録するときの記録可能時間を特定する記録可能時間特定手段と、前記記録可能時間特定手段が特定した記録可能時間を、前記配信時間特定手段が特定した配信時間と対比可能に前記電子番組表情報上に表示する表示制御手段とを備えているものである。
【０１２４】
本発明の情報表示/記録装置の制御方法は、以上のように、電子番組表情報上に表示された番組コンテンツのうち、記録を予約する予約コンテンツを特定する予約コンテンツ特定ステップと、前記予約コンテンツ特定ステップで特定された予約コンテンツの配信時間を特定する配信時間特定ステップと、前記予約コンテンツを記録するときの記録レートを調整する記録レート調整ステップと、前記記録メディアの空き容量を特定する空き容量特定ステップと、前記空き容量特定ステップで特定された前記空き容量の範囲内に、前記記録レート調整ステップで調整された記録レートで記録するときの記録可能時間を特定する記録可能時間特定ステップと、前記記録可能時間特定ステップで特定した記録可能時間を、前記配信時間特定ステップで特定した配信時間と対比可能に前記電子番組表情報上に表示する表示制御ステップとを含んでいる方法である。
【０１２５】
それゆえ、コンテンツを所定の記録メディアに、所定の記録レートで記録する場合の記録可能時間と、該コンテンツの配信時間との関係を電子番組表上で一見して把握することができるという効果を奏する。
【図面の簡単な説明】
【０１２６】
【図１】本発明の一実施携帯であるＥＰＧ表示/番組録画予約システムの主要部の構成を示すブロック図である。
【図２】前記ＥＰＧ表示/番組録画予約システムの構成要素のうち、主としてデジタルテレビの要部構成を示すブロック図である。
【図３】前記ＥＰＧ表示/番組録画予約システムの構成要素のうち、主として記録再生装置の要部構成を示すブロック図である。
【図４】前記ＥＰＧ表示/番組録画予約システムに関しＥＰＧ表示処理の流れを示すフローチャートである。
【図５】前記ＥＰＧ表示/番組録画予約システムに関し予約番組録画処理の流れを示すフローチャートである。
【図６】（ａ）〜（ｃ）は、それぞれ前記ＥＰＧ表示/番組録画予約システムに関しＥＰＧ表示方法の一例を示す図である。
【図７】（ａ），（ｂ）は、それぞれ前記ＥＰＧ表示/番組録画予約システムに関しＥＰＧ表示方法の他の一例を示す図である。
【図８】（ａ）〜（ｅ）は、それぞれ前記ＥＰＧ表示/番組録画予約システムに関し操作方法の一例を示す図である。
【図９】（ａ）〜（ｃ）は、それぞれ前記ＥＰＧ表示/番組録画予約システムに関し操作方法の他の一例を示す図である。
【図１０】（ａ），（ｂ）は、それぞれ前記ＥＰＧ表示/番組録画予約システムに関しＥＰＧ表示方法のさらに他の一例を示す図である。
【図１１】（ａ）〜（ｇ）は、それぞれ前記ＥＰＧ表示/番組録画予約システムに関し操作方法のさらに他の一例を示す図である。
【図１２】（ａ）〜（ｃ）は、それぞれ前記ＥＰＧ表示/番組録画予約システムに関しＥＰＧ表示方法のさらに他の一例を示す図である。
【図１３】（ａ），（ｂ）は、それぞれ前記ＥＰＧ表示/番組録画予約システムに関しＥＰＧ表示方法のさらに他の一例を示す図である。
【図１４】（ａ）〜（ｄ）は、それぞれ前記ＥＰＧ表示/番組録画予約システムに関し表示方法のさらに他の一例を示す図である。
【図１５】（ａ）〜（ｃ）は、それぞれ前記ＥＰＧ表示/番組録画予約システムに関しＥＰＧ表示方法のさらに他の一例を示す図である。
【図１６】（ａ），（ｂ）は、それぞれ前記ＥＰＧ表示/番組録画予約システムに関しＥＰＧ表示方法のさらに他の一例を示す図である。
【図１７】（ａ）〜（ｈ）は、それぞれ前記ＥＰＧ表示/番組録画予約システムに関し操作方法のさらに他の一例を示す図である。
【図１８】（ａ）〜（ｅ）は、それぞれ前記ＥＰＧ表示/番組録画予約システムに関し操作方法のさらに他の一例を示す図である。
【図１９】（ａ）〜（ｉ）は、それぞれ前記ＥＰＧ表示/番組録画予約システムに関し操作方法のさらに他の一例を示す図である。
【図２０】（ａ）〜（ｇ）は、それぞれ前記ＥＰＧ表示/番組録画予約システムに関し操作方法のさらに他の一例を示す図である。
【発明を実施するための形態】
【０１２７】
本発明の一実施形態について図１〜図２０（ｇ）に基づいて説明すれば、以下の通りである。
【０１２８】
〔１．ＥＰＧ表示/番組録画予約システムの構成〕
まず、図１〜３に基づき、本発明の一実施形態であるＥＰＧ表示/番組録画予約システム（情報表示/記録装置）１の構成について説明する。
【０１２９】
なお、本実施形態においては、一般的に家庭内で用いられているようにデジタルテレビ２（図２参照）に記録再生装置３（図３参照）が接続されたＥＰＧ表示/番組録画予約システム１（図１参照）について説明するが、本発明はこのような形態に限られない。すなわち、テレビ本体に記録再生装置が内蔵された記録再生装置内蔵型テレビ（例えば、ＢＤレコーダー内蔵型デジタルＴＶ）のような形態であっても良い。なお、この場合は、本実施形態で説明する記録再生装置３が、デジタルテレビ２に内蔵されているものと考えればよい。
【０１３０】
また、デジタルテレビ２と記録再生装置３との接続は、有線に限られず、無線であっても良し、テレビは、デジタルに限られず、アナログテレビでも良い。
【０１３１】
同様にインターネットに接続されるＰＣ（Personal Computer）やモバイルなども本発明の範疇に入り、デジタルテレビ２の機能と記録再生装置３の機能とが複合した装置と考えれば良い。
【０１３２】
図１は、ＥＰＧ表示/番組録画予約システム１の主要部の構成を示すブロック図である。
【０１３３】
また、図２は、ＥＰＧ表示/番組録画予約システム１の構成要素のうち、主としてデジタルテレビ２の要部構成を示すブロック図である。
【０１３４】
さらに、図３は、ＥＰＧ表示/番組録画予約システム１の構成要素のうち、主として記録再生装置３の要部構成を示すブロック図である。
【０１３５】
ここでは、図１〜図３に基づき、主として本発明の一実施形態であるＥＰＧ表示/番組録画予約システム１、デジタルテレビ２及び記録再生装置３のそれぞれの構成について説明する。
【０１３６】
まず、図２に示すように、ＥＰＧ表示/番組録画予約システム１は、デジタルテレビ２、記録再生装置３、リモートコントローラ５Ａ（図３に示すリモートコントローラ５Ｂも含む）、アナログ放送用アンテナ９及びデジタル放送用アンテナ１０を備えたものである。
【０１３７】
また、デジタルテレビ２は、アナログ放送用アンテナ９及びデジタル放送用アンテナ１０が接続され、アナログ放送及びデジタル放送の双方を受信できるようになっている。
【０１３８】
この、デジタルテレビ２は、外部接続部６Ａ、液晶表示装置７、スピーカ８、アナログチューナー部１１、ＡＶスイッチ部１２、デジタルチューナー部１３、デジタル復調部１４、分離部（ＤＭＵＸ）１５、ビデオデコード/キャプチャ部１６、ビデオセレクタ部１７、映像処理部１８、表示制御部（表示制御手段）１９、オーディオデコード部２０、オーディオセレクタ部２１、音声出力制御部２２、選局部２３、ＥＰＧ/ＯＳＤ予約処理部２４、リモコン受光部２５Ａ、通信制御部２７、メモリ２８Ａ、ＩＰ放送チューナ部２９及びＣＰＵ（コンピュータ）３０Ａを備えるものである。
【０１３９】
アナログチューナー部１１は、アナログ放送用アンテナ９を介して受信する放送信号（コンテンツ，番組コンテンツ）を選局するものである。アナログチューナー部１１は、放送信号の選局を、選局部２３からの選局指示に応じて行う。
【０１４０】
ＡＶスイッチ部１２は、アナログチューナー部１１によって選局された放送信号から音声信号/映像信号を抽出するものである。ＡＶスイッチ部１２は、抽出した音声信号をオーディオセレクタ部２１に、映像信号をビデオセレクタ部１７に送信する。
【０１４１】
デジタルチューナー部１３は、デジタル放送用アンテナ１０を介して受信する、特定の放送信号（コンテンツ，番組コンテンツ）を選局するものである。デジタルチューナー部１３は、この放送信号の選局を、選局部２３からの選局指示に応じて行う。
【０１４２】
デジタル復調部１４は、選局されたデジタル放送の放送信号を復調するものである。
【０１４３】
なお、本実施形態では、簡単のため、「コンテンツ」がアナログ放送又はデジタル放送である場合について説明するが、「コンテンツ」はこのような放送コンテンツに限られない。
【０１４４】
すなわち、「コンテンツ」とは、コンピュータの処理対象となる情報のことであり、主としてワンセグ、３セグ、地上波、ＢＳ及びＣＳケーブルなどのデジタル放送コンテンツが好例であるが、インターネットが普及した今日では、このような放送コンテンツに限られず、インターネットを介して配信される情報であれば、何でも良く、画像、動画、音楽、音声データ及びメール等のテキストデータ、ＷＥＢページに掲載されているデータ、写真やカメラ立ち上げ時のファインダ画面などや、データベースに蓄積されたデータなどを含む広い概念である。なお、放送コンテンツには、インターネットを介して配信されるＩＰ（インターネット・プロトコル）放送なども含まれることは言うまでも無い。
【０１４５】
また、「コンテンツ」のデータ形式及びデータ圧縮方式の規約としては、音楽に関する規約として、ＡＡＣ、ＷＡＶ、ＭＰ３及びＭＰ４などが例示できる。
【０１４６】
静止画像に関する規約としては、ＧＩＦ形式やＪＰＥＧ形式などが例示できる。
【０１４７】
また、ＢＭＰ形式及びＰＩＣＴ形式なども例示できる。
【０１４８】
また、動画コンテンツのデータ形式及びデータ圧縮方式の規約としては、映像に関するＦｌａｓｈ及びＭＰＥＧ２などが例示できる。
【０１４９】
「放送」には、無線通信による放送、有線通信による放送、アナログ放送、デジタル放送、衛星通信放送、インターネット回線を介した配信などが含まれる。
【０１５０】
通信（配信）方式に関する規約（通信プロトコル）としては、Ｂｌｕｅｔｏｏｔｈ、Ｆｅｌｉｃａ、ＰＬＣ、ＷｉｒｅｌｅｓｓＬＡＮ、ＩｒＤＡ、ＩｒＳＳ、ＣＤＭＡ、Ｗ‐ＣＤＭＡ、ＴＤＭＡ、ＡＤＳＬ及び光ファイバー通信などが例示できる。
【０１５１】
デジタル復調部１４は、デジタルチューナー部１３から入力された放送信号を復調して得られたデータを、分離部１５に出力する。
【０１５２】
ＩＰ放送チューナ部２９は、選局部２３からの選局指示に応じて、後述する通信制御部２７を介して受信するＩＰ放送（コンテンツ，番組コンテンツ）の放送信号を選局するものである。ＩＰ放送チューナ部２９は特定の放送信号を選局し、受信した放送信号を分離部１５に出力する。
【０１５３】
分離部１５は、デジタル復調部１４またはＩＰ放送チューナ部２９から入力された、多重化された信号を、映像信号および音声信号それぞれに分離するものである。さらにまた分離部１５は、放送信号に含まれる電子番組表（電子番組表情報）に関するデータ等の放送波データを抽出するものでもある。分離部１５は、分離した映像信号をビデオデコード/キャプチャ部１６に、音声信号をオーディオデコード部２０に、放送波データをＥＰＧ/ＯＳＤ予約処理部２４にそれぞれ送信する。また、分離部１５によって抽出された放送波データは、必要に応じてＣＰＵ３０Ａによる書き込み制御によってメモリ２８Ａに記録される。
【０１５４】
ビデオデコード/キャプチャ部１６は、分離部１５によって分離された映像信号をデコードしたり、映像信号に含まれるビデオ情報を静止画としてキャプチャしたりするものである。ビデオデコード/キャプチャ部１６は、デコードした映像信号をビデオセレクタ部１７に送信する。
【０１５５】
ビデオセレクタ部１７は、外部接続部６Ａから入力された映像信号、アナログ放送用アンテナ９で受信した映像信号、またはデジタル放送用アンテナ１０で受信した映像信号のうち、いずれの信号を出力するのか選択し、その出力を切り替えるものである。この切り替えは、ＣＰＵ３０Ａからの制御指示に応じて行われる。選択された映像信号は、映像処理部１８に出力される。
【０１５６】
映像処理部１８は、ビデオセレクタ部１７から入力された映像信号に対して、例えば、ノイズリダクション、シャープネスの調整、コントラストの調整等の映像処理を行い、液晶表示装置７にて適切な形で表示できる映像データへと変換するものである。映像処理部１８は、映像処理後の映像データを表示制御部１９に出力する。
【０１５７】
また、映像処理部１８は、映像処理を実行するにあたり、映像信号から、該映像信号に基づき表示した画像の表示アスペクト比に関する情報を取得している。そこで、映像処理部１８は、映像信号の表示アスペクト比に関する情報を取得した場合、この情報を、ＣＰＵ３０Ａに出力する。
【０１５８】
表示制御部１９は、入力された映像データを、液晶表示装置７に出力して表示させるように制御するものである。なお、表示制御部１９は、前記映像データを、後述するＥＰＧ/ＯＳＤ予約処理部２４によって作成された電子番組表、あるいはＯＳＤ（オン・スクリーン・ディスプレイ）表示データと合せて前記映像データを出力することができる。
【０１５９】
オーディオデコード部２０は、分離部１５によって分離された音声信号をデコードするものである。オーディオデコード部２０は、デコードした音声信号をオーディオセレクタ部２１に出力する。
【０１６０】
オーディオセレクタ部２１は、外部接続部６Ａから入力された音声信号、アナログ放送用アンテナ９で受信した音声信号、またはデジタル放送用アンテナ１０で受信した音声信号のうちいずれを出力するのか選択し、その出力を切り替えるものである。この切り替えは、ＣＰＵ３０Ａからの制御指示に応じて行われる。選択された音声信号は、音声出力制御部２２に出力される。音声出力制御部２２は、入力された音声信号をスピーカ８から出力できる形式に変換し、該スピーカ８に出力する。
【０１６１】
ＥＰＧ/ＯＳＤ予約処理部２４は、定期的に更新保存された電子番組表に関するデータに基づき電子番組表を作成したり、メモリ２８Ａに予め保存さているＯＳＤ用画像データに基づきＯＳＤ表示データを生成したりするものである。なお、このＯＳＤ用画像データとは、予めメモリ２８Ａに用意されたデータであり、設定メニュー画面、ＰＯＰ表示画面、音量ケージ、現在時刻、選局チャンネルなどの各種情報を描画するためのものである。
【０１６２】
また、ＥＰＧ/ＯＳＤ予約処理部２４は、ＣＰＵ３０Ａからの指示に応じて、描画する各種情報の液晶表示装置７の表示画面上における表示位置等のレイアウトも決定する。ＥＰＧ/ＯＳＤ予約処理部２４は、この作成した電子番組表や、ＯＳＤ表示データを出力する。なお、ＥＰＧ/ＯＳＤ予約処理部２４から出力されたＯＳＤ表示データは、映像処理部１８から出力される映像データに加算回路によって加えられ、表示制御部１９に出力される。
【０１６３】
リモコン受光部２５Ａは、リモートコントローラ５Ａから出力された光信号を受信し、該リモートコントローラ５Ａからの制御指示を受付けるためのものである。受付けた制御指示は、ＣＰＵ３０Ａに送信する。
【０１６４】
通信制御部２７は、電話回線、ＬＡＮ、インターネット等のネットワーク網、あるいはＨＤＭＩ（High Definition Multimedia Interface）ケーブル等を介して外部機器との通信を確立させるように制御を行うものである。ただし、この外部機器との接続媒体は、上述したネットワーク網、またはＨＤＭＩケーブに限定されるものではない。
【０１６５】
メモリ２８Ａは、書き換え可能な不揮発性のメモリであって、例えば、フラッシュメモリ等によって実現できる。このメモリ２８Ａには、特に図示しないがＣＰＵ３０Ａが読み出し、各種制御を実行するためのプログラムが記憶されている。また、メモリ２８Ａには、放送波を介して受信した電子番組表のデータ等の番組情報に関するデータも記憶される。さらには、上述したようにＯＳＤ表示を行う際にＥＰＧ/ＯＳＤ予約処理部２４が読み出す、ＯＳＤ用画像データも記憶される。
【０１６６】
ＣＰＵ３０Ａは、デジタルテレビ２が備える各部の各種制御を実行するためのものである。ＣＰＵ３０Ａは、メモリ２８Ａあるいは不図示のハードディスク等に記録したプログラムをＲＡＭ（Random Accesses Memory）等に読み出し実行することで各種機能を実現することができる。
【０１６７】
次に、図３に基づき、ＥＰＧ表示/番組録画予約システム１の構成要素のうち、主として記録再生装置３の構成について説明する。
【０１６８】
図３に示すように、記録再生装置３は、記録/再生制御部４、外部接続部６Ｂ、リモコン受光部２５Ｂ、メモリ２８Ｂ、ＣＰＵ（コンピュータ）３０Ｂ及び記録再生回路群３１を備えるものである。なお、リモートコントローラ５Ｂは、ユーザによる制御指示を光信号としてリモコン受光部２５Ｂに送信するものである。
【０１６９】
記録/再生制御部４は、記録制御部（記録制御手段）４１、再生制御部４２及び画像表示方式選択部４３を備えるものである。
【０１７０】
また、再生制御部４２は、情報読取部４２１及び情報分離部４２２を備えるものである。
【０１７１】
さらに、画像表示方式選択部４３は、映像信号処理部４３１及び制御信号発生部４３２を備えるものである。
【０１７２】
ＨＤＤ（記録メディア）３２、ＢＤ/ＤＶＤ（記録メディア）３３及びスティックメモリ（記録メディア）３４は、記録メディアの例であり、記録再生装置３の図示しない記録メディア挿入部から装填することにより、記録再生回路群３１による情報の読取又は再生が可能となる。なお、本実施形態では、特に断らない限り、１種類の記録メディアの例として、ＢＤ/ＤＶＤ３３を使用する場合について説明し、ＨＤＤ３２及びスティックメモリ３４を使用する場合については説明を省略する。
【０１７３】
なお、「記録メディア」は、コンテンツが記録可能な記録メディアであれば何でも良い。例えば、磁気テープやカセットテープ等のテープ系、フロッピーディスク/ハードディスク等の磁気ディスクなどが例示できる。
【０１７４】
また、コンパクトディスク−ＲＯＭ/ＭＯ/ＭＤ/デジタルビデオデイスク/コンパクトディスク−Ｒ等の光ディスクを含むディスク系の他、ＩＣカード（メモリカードを含む）/光カード等のカード系などＵＳＢメモリなどのスティック系のいずれのメモリであっても良い。
【０１７５】
さらに、マスクＲＯＭ/ＥＰＲＯＭ/ＥＥＰＲＯＭ/フラッシュＲＯＭ等の半導体メモリ系なども用いることができる。
【０１７６】
記録/再生制御部４は、ＣＰＵ３０Ｂによる制御に従って記録制御部４１に制御指示を行って記録メディア挿入部（不図示）から装填された記録メディアの種類又は規格に応じて記録再生回路群３１を駆動し、各種コンテンツを所定の記録メディアに所定の順序で記録（録画）する制御を行う。また、記録/再生制御部４は、再生制御部４２に制御指示を行って記録メディア挿入部から装填された記録メディアの種類若しくは規格、又は、記録メディアに含まれる情報記録領域の種類若しくは規格に応じて記録再生回路群３１を駆動し、記録メディアから情報を読み取ったり、再生したりする制御を行う。
【０１７７】
記録制御部４１は、記録メディア挿入部から装填された記録メディアの種類若しくは規格、又は、記録メディアに含まれる情報記録領域の種類若しくは規格に応じて記録再生回路群３１を駆動し、各種コンテンツを記録メディアに録画する制御を行うものである。
【０１７８】
また、記録制御部４１は、録画レート調整部（記録レート調整手段）２４３によって調整された録画レート（記録レート）Ｒで記録メディアに予約番組（予約コンテンツ）を録画できるようになっている。
【０１７９】
これにより、ユーザが液晶表示装置７に表示された電子番組表を視認しつつ録画レートＲを調整し、所望の録画レートＲで予約番組を録画することができる。
【０１８０】
なお、詳細は後に説明するが、本実施形態のＥＰＧ表示/番組録画予約システム１では、ＥＰＧ/ＯＳＤ予約処理部２４から出力される録画レートＲや、予約番組に関する情報や、予約番組の録画可能時間（記録可能時間）、記録メディア／情報記録領域の種類又は規格及び指定された録画順序（記録順序）などに関する情報が、外部接続部６Ａ及び外部接続部６Ｂを介して記録再生装置３の記録制御部４１に通知又は送信されるようになっている。
【０１８１】
また、記録制御部４１は、指定された録画順序に従って指定された記録メディア又は情報記録領域に予約番組を録画するようになっている。
【０１８２】
なお、詳細は後に説明するが、本実施形態のＥＰＧ表示/番組録画予約システム１では、デジタルテレビ２のＥＰＧ/ＯＳＤ予約処理部２４における録画レート調整部２４３が、録画レートＲを調整する。
【０１８３】
また、予約番組特定部（予約コンテンツ特定手段，配信時間特定手段）２４１が、予約番組を特定すると共にその予約番組の番組情報を取得する。
【０１８４】
また、記録メディア決定部２４２は、記録メディアの種類若しくは規格、又は、記録メディアに含まれる情報記録領域の種類若しくは規格、録画順序などを決定する。
【０１８５】
また、録画可能時間特定部（記録可能時間特定部）２４５は、予約番組を現時点の録画レートＲで録画するときの録画可能時間を特定する。
【０１８６】
ここで、「録画可能時間」は、固定的な時間ではなく、録画レートＲの調整に応じて変化するようになっており、表示制御部（表示制御手段）１９は、録画レートの調整に応じて時々刻々と変化する録画可能時間をリアルタイムに電子番組表上に表示できるようになっている。
【０１８７】
以上により、ユーザが液晶表示装置７に表示された電子番組表上の録画可能時間及び予約番組の放送時間（配信時間）を視覚的に視認しつつ録画レートＲを調整し、所望の録画レートＲで予約番組を録画することができる。
【０１８８】
なお「録画レートＲ」は、記録ビットレートとも呼ばれ、単位時間あたりに記録される情報量のことであり、単位は、Ｍｂｉｔ/ｓ（Mega-bit/second）などが例示できる。
【０１８９】
なお、「録画レートＲを調整する」とは、現時点で設定されている録画レートＲを維持する場合を含む概念であり、録画レートＲを下げると、所定の記録メディアに対する単位時間当たりの録画情報量は多くなり、録画レートＲを下げると単位時間当たりの録画情報量は少なくなる。
【０１９０】
また、録画レートＲを下げると、一般に情報の質（例えば、画質や音質）が劣化する。
【０１９１】
一方、録画レートＲを上げると、一般に情報の質（例えば、画質や音質）が向上する。
【０１９２】
「録画レートＲ」の調整方法としては、予約番組を記録メディア等の空き容量の範囲内にピッタリ録画できるように録画レートＲを調整する方法、記録メディア等に幾らか空き容量を残した状態で、予約番組が録画できるように録画レートＲを調整する方法、予約番組を、所定の放送時間の途中の時点まで録画できるように録画レートＲを調整する方法などが例示できる。
【０１９３】
再生制御部４２は、記録メディア挿入部から装填された記録メディア／情報記録領域の種類又は規格に応じて記録再生回路群３１を駆動し、記録メディア／情報記録領域から情報を読み取ったり、再生したりする制御を行うものである。
【０１９４】
情報読取部４２１は、記録再生回路群３１から送信される再生信号を復調して記録メディア／情報記録領域に記録されている記録情報を読み取るものである。
【０１９５】
情報分離部４２２は、再生信号を、音声信号、映像信号及び媒体情報に分離するものである。
【０１９６】
画像表示方式選択部４３は、放送番組の種類に応じて記録メディアから受信した媒体情報に従って制御信号を発生させ、該制御信号に応じて画像表示方式を選択し、選択された画像表示方式に応じて映像信号の処理を行うものである。
【０１９７】
映像信号処理部４３１は、制御信号発生部４３２から受信する制御信号に従って、情報分離部４２２から送信されてくる映像信号の画像表示方式を選択し、映像信号の処理を行うものである。
【０１９８】
リモコン受光部２５Ｂは、リモートコントローラ５Ｂから出力された光信号を受信し、該リモートコントローラ５Ｂからの制御指示を受付けるためのものである。受付けた制御指示は、ＣＰＵ３０Ｂに送信する。
【０１９９】
メモリ２８Ｂは、書き換え可能な不揮発性のメモリであって、例えば、フラッシュメモリ等によって実現できる。このメモリ２８Ｂには、特に図示しないがＣＰＵ３０Ｂが読み出し、各種制御を実行するためのプログラムが記憶されている。
【０２００】
ＣＰＵ３０Ｂは、記録再生装置３が備える各部の各種制御を実行するためのものである。ＣＰＵ３０Ｂは、メモリ２８Ｂあるいは不図示のハードディスク等に記録したプログラムをＲＡＭ等に読み出し実行することで各種機能を実現することができる。
【０２０１】
記録再生回路群３１は、ＢＤ/ＤＶＤ３３に対する再生・再生を例にとれば、主として図示しないピックアップ駆動回路、レーザ駆動回路及び再生回路などを備えており、これらの各回路を駆動させることによりＢＤ/ＤＶＤ３３に対する記録再生が実現される。
【０２０２】
なお、情報分離部４２２から出力される音声信号及び映像信号処理部４３１から出力される映像信号のそれぞれは、外部接続部６Ｂを介してデジタルテレビ２に送信される。
【０２０３】
なお、デジタルテレビ２と記録再生装置３とは、ＣＰＵ３０Ａ及びＣＰＵ３０Ｂが連携し、外部接続部６Ａ及び外部接続部６Ｂを介して各種制御信号などのやり取りを行う。
【０２０４】
なお、上述したＢＤレコーダー内蔵型デジタルＴＶや、ＰＣなどでは、ＣＰＵ３０Ａ及びＣＰＵ３０Ｂの機能と同様のＣＰＵ（コンピュータ）が１つあれば良い。
【０２０５】
次に、図１に基づき、本実施形態のＥＰＧ表示/番組録画予約システム１の主要部であるデジタルテレビ２のＥＰＧ/ＯＳＤ予約処理部２４の各構成要素について説明する。
【０２０６】
図１に示すように、ＥＰＧ/ＯＳＤ予約処理部２４は、予約番組特定部（予約コンテンツ特定手段，配信時間特定手段）２４１、記録メディア決定部（記録メディア決定手段）２４２、録画レート調整部（記録レート調整手段）２４３、空き容量特定部（空き容量特定手段）２４４、録画可能時間特定部（記録可能時間特定手段）２４５、ＥＰＧ表示処理部（表示制御手段）２４６を備える構成である。
【０２０７】
なお、ＥＰＧ表示処理部２４６の出力は、加算回路を介して表示制御部（表示制御手段）１９に送信され、表示制御部１９は、送信された電子番組表又はＯＳＤ表示データと、映像データを重畳させて液晶表示装置７の表示画面に出力する。
【０２０８】
予約番組特定部２４１は、放送される放送番組のうち、所定の記録メディアに対する録画を予約する予約番組を特定するものである。
【０２０９】
また、予約番組特定部２４１は、放送される放送番組の送信波データに含まれる番組情報を取得し、取得した番組情報から、又は、メモリ２８Ａ及びメモリ２８Ｂのいずれかに記録されている番組情報を読み出すことにより、放送番組の放送時間を特定する。
【０２１０】
「放送時間」とは、例えば、放送コンテンツの放送時間、インターネットを介して配信される動画の配信時間などが例示できる。また、「放送時間」は、例えば、電子番組表情報に含まれる番組情報から特定する。
【０２１１】
また、「予約番組」とは所定の記録メディア／情報記録領域への録画を予約する放送番組のことである。
【０２１２】
この予約番組特定部２４１により、放送番組のうち、所定の記録メディア／情報記録領域に対する録画を予約する放送番組と、所定の記録メディア／情報記録領域に対する録画を予約しない放送番組とを区別することができる。
【０２１３】
また、予約番組特定部２４１は、ユーザが指定した番組枠に対応する放送番組を予約番組として特定するように構成することが好ましい。
【０２１４】
これにより、電子番組表上で特定の放送番組に対応する番組枠を指定するといった簡単な操作で予約番組を指定することが可能となる。
【０２１５】
また、予約番組は、複数の放送番組の集まりであっても良く、このとき、録画可能時間は、複数の放送番組のそれぞれの録画に必要な録画時間（記録時間）の総和を計算すれば良い。
【０２１６】
これにより、予約番組が複数の放送番組の集まりである場合でも、液晶表示装置７に表示された電子番組表を視認すれば、複数の放送番組の集まり（予約番組）の録画可能時間を録画レートＲで録画するときの録画可能時間と複数の放送番組の放送時間との関係を一見して把握することが可能となる。
【０２１７】
記録メディア決定部２４２は、種類の異なる記録メディアが存在している場合（以下、簡単のため複数の記録メディアの例として「ＤＶＤ１」，「ＤＶＤ２」及び「ＤＶＤ３」の３種類である場合を例示して説明するときがある）に、ユーザの指定に従って予約番組を種類の異なる記録メディアのそれぞれに分散して録画するか否かを決定するようになっている。
【０２１８】
また、記録メディア決定部２４２は、分散して録画する場合には、記録メディアのそれぞれの種類と録画順序（記録順序）とを決定するようになっている。
【０２１９】
このとき、ＥＰＧ表示処理部２４６は、記録メディア決定部２４２によって決定された記録メディアの種類及び録画順序に従って、録画可能時間を放送時間と対比可能に電子番組表上に表示するようになっている。なお、録画可能時間と放送時間との電子番組表上への具体的な表示方法については、後述する。
【０２２０】
また、記録制御部４１は、記録メディア決定部２４２によって決定された記録メディアの種類及び録画順序に従って予約番組を録画するようになっている。
【０２２１】
一方、記録メディア決定部２４２は、分散して録画しない場合には、予約番組を録画する記録メディアの種類を決定する。
【０２２２】
このとき、ＥＰＧ表示処理部２４６は、記録メディア決定部２４２によって決定された記録メディアの種類に従って、記録可能時間を放送時間と対比可能に電子番組表上に表示するようになっている。
【０２２３】
また、記録制御部４１は、記録メディア決定部２４２によって決定された記録メディアの種類に従って、予約番組を録画する。
【０２２４】
よって、液晶表示装置７に表示された記録メディアの種類を確認しながら、種類の異なる記録メディアへの分散録画（分散記録）と、１種類の記録メディアへの非分散録画（非分散記録）との選択が可能となる。
【０２２５】
「記録メディアの種類」とは、異なる記録特性を持つ記録媒体同士を種類が異なる記録メディアとしても良いし、同一の記録特性を持つ記録媒体でもシリアル番号が異なる記録媒体同士を種類が異なる記録メディアとしても良い。
【０２２６】
「予約番組を録画するときの録画順序」は、少ない記録媒体数で録画できるので記録容量の大きな記録媒体から小さな記録媒体へ順次録画することが好ましいが、逆に記録容量の小さな記録媒体から大きな記録媒体へ順次録画するようにしても良い。また、ユーザが所望の録画順序を指定できるようにしても良い。
【０２２７】
さらに、他の情報と混在しないようにするため、全く情報が記録されていない種類の記録媒体を優先的に選択して録画するようにすることが好ましいが、逆に途中まで何らかの情報が既に記録されている種類の記録媒体から優先的に録画するようにしても良い。
【０２２８】
また、記録メディア決定部２４２は、規格の異なる記録メディアが存在している場合に、ユーザの指定に従って予約番組を規格の異なる記録メディアのそれぞれに分散して録画するか否かを決定する。
【０２２９】
記録メディア決定手段は、分散して録画する場合には、規格の異なる記録メディアへの録画順序を決定する。
【０２３０】
このとき、ＥＰＧ表示処理部２４６は、記録メディア決定部２４２によって決定された規格の異なる記録メディアへの録画順序に従って、録画可能時間を放送時間と対比可能に電子番組表上に表示する。
【０２３１】
また、記録制御部４１は、記録メディア決定部２４２によって決定された規格の異なる記録メディアへの録画順序に従って予約番組を録画する。
【０２３２】
一方、記録メディア決定部２４２は、分散して録画しない場合には、予約番組を録画する規格の記録メディアを決定する。
【０２３３】
このとき、ＥＰＧ表示処理部２４６は、記録メディア決定部２４２によって決定された規格の記録メディアでの、録画可能時間を放送時間と対比可能に電子番組表上に表示する。また、記録制御部４１は、記録メディア決定部２４２によって決定された規格の記録メディアに、予約番組を録画する。
【０２３４】
よって、電子番組表上に表示された規格の異なる記録メディアを確認しながら、規格の異なる記録メディアへの分散録画と、１つの規格の記録メディアへの非分散録画との選択が可能となる。
【０２３５】
「記録メディアの規格」とは、ＣＤ、ＤＶＤ、ＢＤなどの記録再生光の波長によって区別される規格であっても良いし、異なる記録特性を持つ記録媒体同士を規格が異なる記録メディアとしても良い。
【０２３６】
「予約番組を録画するときの録画順序」は、少ない記録媒体数で録画できるので記録容量の大きな規格の記録媒体から小さな規格の記録媒体へ順次録画することが好ましいが、逆に記録容量の小さな規格の記録媒体から大きな規格の記録媒体へ順次録画するようにしても良い。また、ユーザが所望の録画順序を指定できるようにしても良い。
【０２３７】
さらに、他の情報と混在しないようにするため、全く情報が記録されていない規格の記録媒体を優先的に選択して録画するようにすることが好ましいが、逆に途中まで何らかの情報が既に記録されている規格の記録媒体から優先的に録画するようにしても良い。
【０２３８】
また、記録メディア決定部２４２は、記録メディアに規格（又は種類、以下同じ）の異なる情報記録領域が存在している場合に、ユーザの指定に従って予約番組を規格の異なる情報記録領域のそれぞれに分散して録画するか否かを決定する。
【０２３９】
記録メディア決定部２４２は、分散して録画する場合には、規格の異なる情報記録領域への録画順序を決定する。
【０２４０】
このとき、ＥＰＧ表示処理部２４６は、記録メディア決定部２４２によって決定された規格の異なる情報記録領域への録画順序に従って、録画可能時間を放送時間と対比可能に電子番組表上に表示する。また、記録制御部４１は、記録メディア決定部２４２によって決定された規格の異なる情報記録領域への録画順序に従って予約番組を録画する。
【０２４１】
一方、記録メディア決定部２４２は、分散して録画しない場合には、予約番組を録画する規格の情報記録領域を決定する。
【０２４２】
このとき、ＥＰＧ表示処理部２４６は、記録メディア決定部２４２によって決定された規格の情報記録領域での、録画可能時間を放送時間と対比可能に電子番組表上に表示する。また、記録制御部４１は、記録メディア決定部２４２によって決定された規格の情報記録領域に、予約番組を録画する。
【０２４３】
よって、電子番組表上に表示された規格の異なる情報記録領域を確認しながら、規格の異なる情報記録領域への分散録画と、１つの規格の情報記録領域への非分散録画との選択が可能となる。
【０２４４】
「情報記録領域の規格」とは、ＣＤ、ＤＶＤ、ＢＤなどの記録再生光の波長によって区別される規格であっても良いし、異なる記録特性を持つ情報記録領域同士を規格が異なる情報記録領域としても良い。
【０２４５】
「予約番組を録画するときの録画順序」は、少ない情報記録領域数で録画できるので記録容量の大きな規格の情報記録領域から小さな規格の情報記録領域へ順次録画することが好ましいが、逆に記録容量の小さな規格の情報記録領域から大きな規格の情報記録領域へ順次録画するようにしても良い。また、ユーザが所望の録画順序を指定できるようにしても良い。
【０２４６】
さらに、他の情報と混在しないようにするため、全く情報が記録されていない規格の情報記録領域を優先的に選択して録画するようにすることが好ましいが、逆に途中まで何らかの情報が既に記録されている規格の情報記録領域から優先的に録画するようにしても良い。
【０２４７】
また、記録メディア決定部２４２は、同一規格で複数の記録メディアが存在している場合に、ユーザの指定に従って予約番組を同一規格で複数の記録メディアのそれぞれに分散して録画するか否かを決定する。
【０２４８】
記録メディア決定部２４２は、分散して録画する場合には、同一規格で複数の記録メディアへの録画順序を決定する。
【０２４９】
このとき、ＥＰＧ表示処理部２４６は、記録メディア決定部２４２によって決定された同一規格で複数の記録メディアへの録画順序に従って、録画可能時間を放送時間と対比可能に電子番組表上に表示する。また、記録制御部４１は、記録メディア決定部２４２によって決定された同一規格で複数の記録メディアへの録画順序に従って予約番組を録画する。
【０２５０】
一方、記録メディア決定部２４２は、分散して録画しない場合には、予約番組を同一規格で複数の記録メディアの何れに録画するかを決定する。
【０２５１】
このとき、ＥＰＧ表示処理部２４６は、記録メディア決定部２４２によって決定された記録メディアでの、録画可能時間を放送時間と対比可能に電子番組表上に表示する。また、記録制御部４１は、記録メディア決定部２４２によって決定された記録メディアに、予約番組を録画する。
【０２５２】
よって、電子番組表上に表示された同一規格で複数の記録メディアを確認しながら、同一規格で複数の記録メディアへの分散録画と、同一規格で複数の中のいずれか１つの記録メディアへの非分散録画との選択が可能となる。
【０２５３】
「予約番組を録画するときの録画順序」は、少ない記録媒体数で録画できるので記録容量の大きな記録媒体から小さな記録媒体へ順次録画することが好ましいが、逆に記録容量の小さな記録媒体から大きな記録媒体へ順次録画するようにしても良い。また、ユーザが所望の録画順序を指定できるようにしても良い。
【０２５４】
さらに、他の情報と混在しないようにするため、全く情報が記録されていない記録媒体を優先的に選択して録画するようにすることが好ましいが、逆に途中まで何らかの情報が既に記録されている記録媒体から優先的に録画するようにしても良い。
【０２５５】
また、記録メディア決定部２４２は、記録メディアに同一規格で複数の情報記録領域が存在している場合に、ユーザの指定に従って予約番組を同一規格で複数の情報記録領域のそれぞれに分散して録画するか否かを決定する。
【０２５６】
記録メディア決定部２４２は、分散して録画する場合には、同一規格で複数の情報記録領域への録画順序を決定する。
【０２５７】
このとき、ＥＰＧ表示処理部２４６は、記録メディア決定部２４２によって決定された同一規格で複数の情報記録領域への録画順序に従って、録画可能時間を放送時間と対比可能に電子番組表上に表示する。また、記録制御部４１は、記録メディア決定部２４２によって決定された同一規格で複数の情報記録領域への録画順序に従って予約番組を録画する。
【０２５８】
一方、記録メディア決定部２４２は、分散して録画しない場合には、予約番組を同一規格で複数の情報記録領域の何れに録画するかを決定する。
【０２５９】
このとき、ＥＰＧ表示処理部２４６は、記録メディア決定部２４２によって決定された情報記録領域での、録画可能時間を放送時間と対比可能に電子番組表上に表示する。また、記録制御部４１は、記録メディア決定部２４２によって決定された情報記録領域に、予約番組を録画する。
【０２６０】
よって、電子番組表上に表示された同一規格で複数の情報記録領域を確認しながら、同一規格で複数の情報記録領域への分散録画と、同一規格で複数の中のいずれか１つの情報記録領域への非分散録画との選択が可能となる。
【０２６１】
「予約番組を録画するときの録画順序」は、少ない情報記録領域数で録画できるので記録容量の大きな情報記録領域から小さな情報記録領域へ順次録画することが好ましいが、逆に記録容量の小さな情報記録領域から大きな情報記録領域へ順次録画するようにしても良い。また、ユーザが所望の録画順序を指定できるようにしても良い。
【０２６２】
さらに、他の情報と混在しないようにするため、全く情報が記録されていない規格の情報記録領域を優先的に選択して録画するようにすることが好ましいが、逆に途中まで何らかの情報が既に記録されている情報記録領域から優先的に録画するようにしても良い。
【０２６３】
次に、録画レート調整部２４３は、予約番組特定部２４１によって特定された予約番組を録画するときの録画レートＲを調整するようになっている。
【０２６４】
「録画レートＲ」の調整方法としては、予約番組を空き容量の範囲内にピッタリ録画できるように録画レートＲを調整する方法、記録メディア／情報記録領域に幾らか空き容量を残した状態で、予約番組が録画できるように録画レートＲを調整する方法、予約番組を、所定の放送時間の途中の時点まで録画できるように録画レートＲを調整する方法などが例示できる。
【０２６５】
録画可能時間特定部２４５は、録画レート調整部２４３によって調整された録画レートＲで予約番組のすべてを録画する場合の録画可能時間を特定するものである。
【０２６６】
なお、本実施形態では、以下で説明するようにユーザの表示画面に表示された電子番組表上での操作により録画レートＲを自在に調整できるようになっている。
【０２６７】
次に、空き容量特定部２４４は、所望の録画レートＲで予約番組を記録メディア／情報記録領域に録画するときの空き容量を特定するようになっている。
【０２６８】
これにより、所望の録画レートＲで予約コンテンツを記録メディア／情報記録領域に録画することが可能となる。
【０２６９】
また、空き容量特定部２４４は、所定の記録メディア（又は情報記録領域）への録画が既に予約されている放送番組を録画するときの録画情報量を、記録メディア（又は情報記録領域）の空き容量から除外することが好ましい。
【０２７０】
これにより、記録メディア／情報記録領域への録画が既に予約されている放送番組を録画するときの録画情報量を、記録メディア／情報記録領域の空き容量から除外するので、電子番組表を視認しながら予約番組の録画を予約する際に、既予約の予約番組を含めるか、含めないかの選択が可能となる。
【０２７１】
また、ＥＰＧ表示処理部２４６は、録画可能時間特定部２４５が特定した録画可能時間を予約番組特定部２４１が特定した放送時間と対比可能に電子番組表上に表示する制御を行うものである。
【０２７２】
なお、電子番組表は、通常放送番組毎（番組コンテンツ毎）に設けられ、所定の時間軸に沿う番組枠を含んでいる。
【０２７３】
そこで、ＥＰＧ表示処理部２４６は、予約番組の放送時間を、その予約番組に対応する番組枠に沿う予約番組領域のサイズと対応付けて表示し、録画可能時間を、番組枠の番組開始位置を基準位置とし前記時間軸に沿う録画可能領域（記録可能領域）のサイズと対応付けて表示するようにする。
【０２７４】
これにより、電子番組表上に表示された予約番組領域及び録画可能領域を視認することにより、予約番組の放送時間に対して、現時点の録画レートＲで、どのくらいの時間までの放送分が録画可能であるかの相対関係を、予約番組領域及び録画可能領域の各領域のサイズを通して一見して把握することができる。
【０２７５】
ここで、「予約番組の放送時間を、その予約番組に対応する番組枠に沿う予約番組領域のサイズと対応付けて表示し、録画可能時間を、番組枠の番組開始位置を基準位置とし前記時間軸に沿う録画可能領域のサイズと対応付けて表示」とは、例えば、予約番組領域のサイズと録画可能領域のサイズを、放送時間と録画可能時間のそれぞれに比例させて予約番組領域及び録画可能領域のそれぞれを特定色のバー（時間軸に沿う矩形の棒グラフなど）で表示することなどが好例である。
【０２７６】
なお、「予約番組領域及び録画可能領域」のそれぞれは、矩形領域であることが好ましい。電子番組表上の番組枠は、矩形領域であり、また、予約番組領域及び録画可能領域の時間軸に沿うサイズを示すのが容易だからである。
【０２７７】
また、予約番組領域及び録画可能領域のそれぞれを矩形領域とした場合、各矩形領域を重ねて表示させても良いし、各矩形領域を時間軸に垂直な方向にずらして表示させても良い。
【０２７８】
各矩形領域を時間軸に垂直な方向にずらして表示させた場合、各矩形領域の短手方向のサイズが同一である場合においても各矩形領域の一方が隠れて視認できなくなることを回避できる。
【０２７９】
なお、各矩形領域を重ねて表示させた場合でも、一方の領域が他方の領域に対して透けて見えるような領域とすれば良い。これによっても各矩形領域の一方が隠れて視認できなくなることを回避できる。
【０２８０】
また、矩形領域の短手方向のサイズは、時間軸とはあまり関係がないので、任意であって良い。すなわち、予約番組領域及び録画可能領域のそれぞれの矩形領域における短手方向のサイズは、同一であっても良いし、異なっていても良い。
【０２８１】
各矩形領域は、時間軸に対して同一の番組枠の番組開始位置を基準位置として、時間軸の時間の進行方向に伸びる領域とすることが好ましい。
【０２８２】
これにより、時間の流れに対する違和感が生じることなく放送番組を所定の記録メディア／情報記録領域に、録画レートＲで録画する場合の録画可能時間と、放送番組の放送時間との関係を電子番組表上で一見して把握することができる。
【０２８３】
また、ＥＰＧ表示処理部２４６は、予約番組領域と録画可能領域とを、予約番組領域の面積に対する録画可能領域の面積の比が、録画可能時間に対する放送時間の比と等しくなるように電子番組表上に表示するように構成しても良い。
【０２８４】
これにより、電子番組表上に表示された予約番組領域の面積に対する録画可能領域の面積の比を通して、予約番組の放送時間に対する録画可能時間の比を、電子番組表上で一見して把握することができる。
【０２８５】
「予約番組領域の面積に対する録画可能領域の面積の比が、録画可能時間に対する放送時間の比と等しくなるように電子番組表上に表示」とは、例えば、放送時間と録画可能時間のそれぞれに比例させて予約番組領域及び録画可能領域のそれぞれを特定色で塗り潰して表示することなどが好例である。なお、ここで説明した好例については、後に詳細に説明する。
【０２８６】
また、ＥＰＧ表示処理部２４６は、さらに記録メディア決定部２４２によって決定された記録メディア／情報記録領域の種類又は規格を液晶表示装置７の表示画面上に表示させても良い（なお、より具体的には、電子番組表上に記録メディア／情報記録領域の種類又は規格を示したアイコンなどを表示する）。
【０２８７】
これにより、液晶表示装置７（電子番組表）に表示された記録メディア／情報記録領域の種類又は規格を確認しながら、所望の記録メディア／情報記録領域を選択して予約番組を録画することが可能となる。
【０２８８】
以上より、予約番組を所定の記録メディア／情報記録領域に、所定の録画レートＲで録画する場合の録画可能時間と、該予約番組の配信時間との関係を、電子番組表上で一見して把握することができる。
【０２８９】
〔２．ＥＰＧ表示/番組録画予約システムの動作〕
次に、図１〜３のブロック図、図４及び５のフローチャート、並びに、図６（ａ）、図１２（ａ）及び図１５（ａ）に基づいて、本実施形態のＥＰＧ表示/番組録画予約システム１の動作の詳細について説明する。なお、〔２．ＥＰＧ表示/番組録画予約システムの動作〕において説明すること以外の構成は、〔１．ＥＰＧ表示/番組録画予約システムの構成〕と同じである。また、説明の便宜上、〔１．ＥＰＧ表示/番組録画予約システムの構成〕の図面に示した部材と同一の機能を有する部材については、同一の符号を付し、その説明を省略する。
【０２９０】
また、図４は、ＥＰＧ表示/番組録画予約システム１に関し「ＥＰＧ表示処理」の流れを示すフローチャートである。
【０２９１】
一方、図５は、ＥＰＧ表示/番組録画予約システム１に関し「予約番組録画処理」の流れを示すフローチャートである。
【０２９２】
（ＥＰＧ表示処理）
まず、図１〜４、並びに図６（ａ）、図１２（ａ）及び図１５（ａ）に基づき、ＥＰＧ表示/番組録画予約システム１の「ＥＰＧ表示処理」の流れについて説明する。
【０２９３】
図２に示すデジタルテレビ２及び記録再生装置３の電源を入れ、デジタルテレビ２の液晶表示装置７が画面表示可能になった状態で「ＳＴＡＲＴ」となる。
【０２９４】
まず、ステップＳ１（なお、以下では「ステップ」は省略し、単に「Ｓ１」などと記載する）では、ユーザが、リモートコントローラ５Ｂの「ＥＰＧ表示」ボタンを押下する、この操作をトリガとして図１に示すＥＰＧ/ＯＳＤ予約処理部２４のＥＰＧ表示処理部２４６が液晶表示装置７の表示画面に電子番組表を表示させてＳ２に進む。
【０２９５】
なお、電子番組表の表示は、上述したリモートコントローラ５Ｂの「ＥＰＧ表示」ボタンの押下以外にも、リモートコントローラ５Ｂを操作して液晶表示装置７の表示画面に不図示のメニュー選択画面を表示させ、所定の操作により「ＥＰＧ表示」メニューを選択・確定する操作にても表示可能としても良い。
【０２９６】
なお、デジタルテレビ２にはリモートコントローラ５Ａが付属しており、記録再生装置３には、リモートコントローラ５Ｂが付属しているが、これらのコントローラを交互に使用するものとして説明すると煩雑となるので、以下の操作は、全てリモートコントローラ５Ｂで操作するものとして説明する。
【０２９７】
また、以下では、ユーザの操作が「リモートコントローラ５Ｂ」で操作信号に変換されてリモコン受光部２５Ｂに送信され、リモコン受光部２５Ａは、その操作信号を受信してＣＰＵ３０Ｂに送り、ＣＰＵ３０Ｂは、バスを介して記録再生装置３の各ブロックの動作を制御信号などで制御するものとする。
【０２９８】
さらに、ＣＰＵ３０Ｂは、外部接続部６Ａ及び外部接続部６Ｂを介してＣＰＵ３０Ａと連携してデジタルテレビ２の各ブロックの動作を制御信号などで制御するものとする。
【０２９９】
次に、Ｓ２では、ユーザがリモートコントローラ５Ｂを操作して電子番組表の番組枠の中から、予約対象となる放送番組に対応する番組枠を選択してＳ３に進む。
【０３００】
Ｓ３では、ＥＰＧ/ＯＳＤ予約処理部２４の予約番組特定部２４１がユーザの選択した番組枠に対応する予約番組を特定する。
【０３０１】
また、このとき、予約番組特定部２４１は、予約番組の番組情報を取得すると共に、その番組情報から予約番組の放送時間及び対応する番組枠の領域を特定し、その結果をメモリ２８Ａ（又はメモリ２８Ｂ）に一時的に記録させる。
【０３０２】
次に、ＥＰＧ表示処理部２４６が表示制御部１９を介して液晶表示装置７に表示された電子番組表上で選択された放送番組に対応する番組枠の背景色を、非選択番組枠とは異なる所定の色にして（又は網掛け表示して）表示（予約番組領域）させてＳ４に進む（なお、このときの表示方法については、図６（ａ）、図１２（ａ）及び図１５（ａ）参照）。
【０３０３】
Ｓ４では、ＥＰＧ表示処理部２４６が表示制御部１９を介して液晶表示装置７の表示画面に「録画する記録メディアを選択して下さい」とのメッセージを表示してＳ５に進む（なお、このときの表示方法については、図６（ａ）、図１２（ａ）及び図１５（ａ）参照）。
【０３０４】
Ｓ５では、ユーザが電子番組表上にアイコン表示された記録メディアを、所定の順序で選択する。このとき、ＥＰＧ/ＯＳＤ予約処理部２４の記録メディア決定部２４２は、選択された記録メディアの種類と選択順序に関する情報をメモリ２８Ａ（又はメモリ２８Ｂ）に一時記憶させてＳ６に進む。
【０３０５】
また、このとき、ＥＰＧ表示処理部２４６は、記録メディア決定部２４２によって選択された記録メディアの種類と選択順序に関する情報がメモリ２８Ａ（又はメモリ２８Ｂ）に一時記憶されたことをトリガとして選択された記録メディアの種類を示す「選択記録メディアアイコン」を電子番組表上に表示するようにしても良い（なお、このときの表示方法については、図６（ａ）、図１２（ａ）及び図１５（ａ）参照。）。
【０３０６】
なお、上述したＳ４及び５は、録画先となる記録メディアが、記録再生装置３内に複数存在する場合のステップである。
【０３０７】
Ｓ６では、ユーザがリモートコントローラ５Ｂを操作して、電子番組表上に表示された「録画設定ボタンアイコン」（不図示）をクリック（押し）して録画設定へ移行し、Ｓ７に進む。なお、録画設定への移行は、上述した「録画設定ボタンアイコン」での移行の他に、選択中の番組枠を再度リモートコントローラ５Ｂにて選択操作することで移行可能としても良い。
【０３０８】
Ｓ７では、ＥＰＧ/ＯＳＤ予約処理部２４の空き容量特定部２４４が、「録画設定ボタンアイコン」がクリックされたことをトリガとしてこれまでに既に予約された放送番組があるか否かを確認し、ある場合は「ＹＥＳ」となりＳ８に進む。一方、これまでに既に予約された放送番組が全く無い場合にはＳ９に進む。このとき、例えば、既に予約された放送番組がある場合でも、録画設定に既予約番組を「含む」か「含まない」かを、選択する不図示の選択画面を表示するようにし、ユーザが「含まない」を選択した場合には、既予約があってもＳ９に進むようにしても良い。
【０３０９】
Ｓ８では、空き容量特定部２４４が、メモリ２８Ａ（又はメモリ２８Ｂ）に一時記憶されている選択された記録メディア、その録画順序及び現時点で設定されている録画レートＲに従って、既に予約された放送番組の分の総録画情報量を差し引いて、空き容量を算出してＳ１０に進む。
【０３１０】
一方、Ｓ９では、空き容量特定部２４４が、メモリ２８Ａ（又はメモリ２８Ｂ）に一時記憶されている選択された記録メディア、その録画順序及び現時点で設定されている録画レートＲに従って、空き容量を算出してＳ１０に進む。
【０３１１】
Ｓ１０では、空き容量特定部２４４が、空き容量算出結果をメモリ２８Ａ（又はメモリ２８Ｂ）に一時記憶させ、その旨を録画レート調整部２４３に通知（空き容量記録通知）する。
【０３１２】
録画レート調整部２４３は、空き容量記録通知を受けて、現時点で設定されている録画レートＲを特定し、その結果をメモリ２８Ａ（又はメモリ２８Ｂ）に一時記憶させ、その旨を録画可能時間特定部２４５に通知（録画レート記録通知）する。
【０３１３】
録画可能時間特定部２４５は、録画レート記録通知を受けて、メモリ２８Ａ（又はメモリ２８Ｂ）から現時点で設定されている録画レートＲ及び空き容量算出結果を読出し、空き容量算出結果に基づいて、選択された記録メディアの空き容量の範囲内に現時点で設定されている録画レートＲで録画する場合の録画可能時間を算出（特定）し、その算出結果（録画可能時間算出結果）をメモリ２８Ａ（又はメモリ２８Ｂ）に一時記憶させる。
【０３１４】
また、録画可能時間特定部２４５は、録画可能時間算出結果をメモリ２８Ａ（又はメモリ２８Ｂ）に一時記憶させるとその旨をＥＰＧ表示処理部２４６に通知（録画可能時間記憶通知）する。
【０３１５】
また、ＥＰＧ表示処理部２４６は、録画可能時間記憶通知を受けてメモリ２８Ａ（又はメモリ２８Ｂ）に一時記憶されている予約番組の放送時間と、録画可能時間算出結果とを読み出し、録画可能時間に対する予約番組の放送時間の比、「録画可能時間/予約番組の放送時間」比を算出し、その結果（時間比特定結果）をメモリ２８Ａ（又はメモリ２８Ｂ）に一時記憶させてＳ１１に進む。
【０３１６】
Ｓ１１では、ＥＰＧ表示処理部２４６は、電子番組表上で、選択された番組枠の全領域（又はそれ以外の番組枠の領域を含む場合もある）のうち、録画可能領域の面積の分の領域の色を特定色の網掛け表示で塗り潰して表示させて「結合子Ａ」に進む。
【０３１７】
Ｓ１１では、ＥＰＧ表示処理部２４６は、電子番組表上で、選択された番組枠の全領域（又はそれ以外の番組枠に沿う領域を含む場合もある）のうち、番組開始位置を基点に録画可能時間までの領域の背景色を、特定色にして（又は網掛け表示して）表示させて「結合子Ａ」に進む。
【０３１８】
なお、本フローでは、デザイン上の観点などから番組枠の短手方向のサイズに合せて、上記特定色による表示、又は、網掛け表示などを行っているが、この形態は、上述した「予約番組領域の面積に対する録画可能領域の面積の比が、録画可能時間に対する放送時間の比と等しくなるように電子番組表上に表示」に対応するものである。
【０３１９】
しかしながら、予約番組領域及び録画可能領域の表示態様は、このような表示態様に限られず、上述したバー表示など様々な態様が含まれることは言うまでも無い。
【０３２０】
（予約番組録画処理）
次に、図１〜図３、図５、図６（ａ）、図１２（ａ）、図８の（ａ）部分、図８の（ｅ）、図１１の（ａ）部分及び図１５（ａ）に基づき、ＥＰＧ表示/番組録画予約システム１の「予約番組録画処理」の流れについて説明する。
【０３２１】
まず、「ＥＰＧ表示処理」における「結合子Ａ」からＳ１２に進む。
【０３２２】
Ｓ１２では、ＥＰＧ表示処理部２４６が、表示制御部１９を介して液晶表示装置７の表示画面に「選択した番組を、さいごまで録画できません」（図８の（ａ）部分など参照）、「選択した番組を、ディスクの残りにピッタリ録画できます」（図８の（ｅ）部分など参照）、「選択した番組を録画して３０分余ります」（図１１の（ａ）部分参照）等のメッセージを表示する。このとき、録画レート調整部２４３は、ユーザの所定の操作による録画レートの変更を監視する。
【０３２３】
ここで、録画レートＲを変更する場合は、「ＹＥＳ」となりＳ１３に進む。一方、録画レートＲを変更しない場合は、「ＮＯ」となりＳ１５に進む。
【０３２４】
Ｓ１３では、ユーザが電子番組表に表示された特定色の網掛け表示の終了位置を所定の操作でドラッグする。このとき、録画レート調整部２４３は、ユーザが電子番組表に表示された特定色の網掛け表示終了位置の変化に応じて、録画レートＲの値を変更（調整）し、その値をメモリ２８Ａ（又はメモリ２８Ｂ）に記憶させてＳ１４に進む（なお、このときの電子番組表の表示方法については、図６（ｂ）及び（ｃ）、図１２（ｂ）及び（ｃ）、並びに、図１５（ｂ）及び（ｃ）を参照）。
【０３２５】
Ｓ１４では、録画レートＲが、ユーザが所望する録画レートとなった場合には、「ＹＥＳ」となり、Ｓ１５に進む。一方、録画レートＲが、ユーザが所望する録画レートとなっていない場合には、「ＮＯ」となり、Ｓ１２に戻る。
【０３２６】
Ｓ１５では、ユーザが、リモートコントローラ５Ｂを操作して、電子番組表上に表示された「録画設定終了ボタンアイコン」（不図示）をクリックする（押す）。
【０３２７】
また、録画可能時間特定部２４５は、録画レートＲの値をメモリ２８Ａ（又はメモリ２８Ｂ）記憶させたことを、記録再生装置３のＣＰＵ３０Ｂを介して記録制御部４１に通知（録画レート記録通知）する。
【０３２８】
記録制御部４１は、録画レート記録通知を受けて、メモリ２８Ａ（又はメモリ２８Ｂ）に記録されている録画レートＲの値で選択された記録メディアの種類及び録画順序に従って予約番組を録画（記録）して「ＥＮＤ」となる。
【０３２９】
〔３．電子番組表について〕
次に、図６（ａ）〜図２０（ａ）に基づいて、本実施形態のＥＰＧ表示/番組録画予約システム１の電子番組表の表示方法とそのリモートコントローラ５Ｂによるユーザの操作方法などの詳細について説明する。なお、〔３．電子番組表について〕において説明すること以外の構成は、〔１．ＥＰＧ表示/番組録画予約システムの構成〕及び〔２．ＥＰＧ表示/番組録画予約システムの動作〕と同じである。また、説明の便宜上、〔１．ＥＰＧ表示/番組録画予約システムの構成〕及び〔２．ＥＰＧ表示/番組録画予約システムの動作〕の図面に示した部材と同一の機能を有する部材については、同一の符号を付し、その説明を省略する。
【０３３０】
（ＥＰＧ表示方法その１）
図６（ａ）〜図９（ｂ）に基づき、現時点で設定されている録画レートＲで録画すると、空き容量が不足する場合におけるＥＰＧ表示/番組録画予約システム１の電子番組表の表示方法及びリモートコントローラ５Ｂを用いたより具体的な操作方法の例について簡単に説明する。
【０３３１】
図６（ａ）及び図７（ａ）に示すように、電子番組表は、放送される放送番組の種類によって分割された番組枠を含んでいる。例えば、図６（ａ）に示す例では、１２/３１（Ｍｏ）の２１：３０〜２２：３０の番組枠に、図７（ａ）に示す例では、２１：００〜０：００の番組枠に「ＭＨＫ白黒歌合戦」というタイトルの放送番組名が表示されている。
【０３３２】
なお、図６（ａ）及び図７（ａ）では、「ＭＨＫ白黒歌合戦」の番組枠がねずみ色で網掛け表示されているが、これは、ユーザにより予約番組として「ＭＨＫ白黒歌合戦」が選択されたこと示している。
【０３３３】
このような表示方法を採用することにより、電子番組表上で所望の放送番組のタイトルが表示された番組枠を指定するといった簡単な操作で予約番組を指定することが可能となる。また、ユーザが一見して予約番組と予約されていない放送番組を把握することができる。
【０３３４】
また、図６（ａ）では、電子番組表における一番上の枠である「ＥＰＧ枠」には「録画する記録メディアを選択して下さい」とコメント（comment）が表示されているので、ここでは、ユーザが、記録メディアとして「ＢＤ」を選択した場合を想定する。
【０３３５】
このようにユーザが、記録メディアとして「ＢＤ」を選択したことを示すアイコン（以下「記録メディア指定アイコン」という）は、「ＭＨＫ白黒歌合戦」の番組枠の隣に表示されている。
【０３３６】
以上のように、予約された放送番組に対応する番組枠を避けつつ、該番組枠に最も近い番組枠に「記録メディア指定アイコン」を表示させるようにすれば、録画可能領域及び予約番組領域の表示を阻害することなく予約番組と、その予約番組が録画される記録メディアとの関係を一見して把握することが可能となる。
【０３３７】
次に、図６（ｂ）及び図７（ｂ）では、「ＭＨＫ白黒歌合戦」の番組枠の一部が、左上がり斜線の網掛け表示となっている。
【０３３８】
ここで、上述した録画可能領域を、予約番組領域と対比して視覚的に把握できるように図６（ａ）及び図７（ａ）で選択された予約番組を示すねずみ色で網掛け表示している。
【０３３９】
また、図６（ｂ）及び図７（ｂ）の「ＭＨＫ白黒歌合戦」の番組枠のおける左上がり斜線の網掛け表示の領域（録画可能領域）が占める面積は、前記予約番組領域の面積と「録画可能時間/予約番組の放送時間」比との積で与えられる面積に対応付けられている。
【０３４０】
なお、本実施形態のＥＰＧ表示/番組録画予約システム１は、図６（ｂ）及び図７（ｂ）の状態でも録画レートＲを変更しないでそのまま記録メディアに録画できるように構成している。
【０３４１】
すなわち、録画レートＲを常に変更しないで録画するようなときは、図６（ｂ）及び図７（ｂ）のねずみ色の網掛け表示は、記録メディアにあとどのくらい録画時間が残っているのかなどを示していることになる。このように番組枠の大きさと時間軸とを対応づけて表示すれば、記録メディアにあとどのくらい録画時間が残っているのかなどを一見して把握することができる。
【０３４２】
なお、図６（ｂ）では、「ＥＰＧ枠」のコメントとして「録画レートを調整する？」と表示されており、ユーザは、このコメントに従って、左上がり斜線の網掛け表示の右端をドラッグすることにより、左上がり斜線の網掛け表示の領域の面積の変化に応じて録画レートＲを可視的に調整することができるようになっている。
【０３４３】
一方、図７（ｂ）では、電子番組表の下方に「＜＞：録画モード変更  現在録画モード：ＳＰ（２２）  選択した番組を、さいごまで録画できません。」と表示されているが、このように現在の録画モードと警告情報などのコメントを併せて表示させても良い。
【０３４４】
なお、ＳＰ（standard play）は、標準モードの略である。また、通常、録画モードには、例えば、ＸＰモード、上述したＳＰモード、ＬＰモード、及びＥＰモードがあり、この順で画質が劣化する。
【０３４５】
また、その他の録画モードとしては、録画レートを微調整可能なＭＮモード（マニュアルモード）があり、例えば、ＭＮ（１９）は、ＳＰモードで記録メディアに１２０分録画できるところを１４０分録画できる録画レートを示す。
【０３４６】
また、その他、ジャストモードがあり、所定の記録メディアにピッタリと録画できる録画レートに調整できるモードである。
【０３４７】
録画モードとしては、その他、例えばＢＤレコーダーであれば「標準（ＤＲ）」、「２倍」、「３倍」及び「５倍」等で表示される録画モードなどを例示することができる。
【０３４８】
なお、図６（ｂ）及び（ｃ）では、「矢印」に示すように、ドラッグする方向を右向きとした場合について示しているが、ドラッグする方向は、逆に左向きであっても良い。ドラッグする方向を右向きとした場合は、録画レートＲは小さくなる。また、ドラッグする方向を左向きとした場合は、録画レートＲは大きくなるようになっている。
【０３４９】
以上の表示方法によれば、予約番組領域のサイズ（又は面積）に対応付けて表示された予約番組の放送時間（ねずみ色の網掛け表示された領域）と、録画可能領域のサイズ（又は面積）に対応付けて表示された録画可能時間（左上がり斜線の網掛け表示の領域）とを視認することにより、放送される放送番組（ＭＨＫ白黒歌合戦）を所定の録画レートＲで録画した場合の録画可能時間と、放送番組の放送時間との関係を一見して把握することができる。
【０３５０】
また、録画レートＲの調整に応じて録画可能領域のサイズと予約番組領域のサイズとの相対関係が変化するので、可視的に録画レートＲの凡その大きさを推認することが可能となる。
【０３５１】
また、録画可能時間と放送時間との相対関係（図６（ｂ）など参照：ねずみ色の網掛け表示の領域＜予約番組領域＞と左上がり斜線の網掛け表示の領域＜録画可能領域＞との相対関係）から可視的に凡その録画レートＲの大きさを推認することが可能となる。また、録画可能時間と放送時間との相対関係の変化から録画レートＲが上がったか下がったかを可視的に理解することができる。
【０３５２】
ここで、図８（ａ）〜図９（ｂ）に基づき、リモートコントローラ５Ｂを使用したより具体的な電子番組表の表示操作方法について説明する。
【０３５３】
なお、本実施形態で例示する電子番組表は、横書き（縦軸・放送局、横軸・時間）の表示であるが、新聞のテレビ欄のように縦書き（縦軸・時間、横軸・放送局）の表示を採用しても良い。
【０３５４】
図８（ａ）〜（ｅ）は、それぞれ録画レートＲを徐々に下げていく場合のＥＰＧ表示操作方法であり、図８（ｂ）に示すようにリモートコントローラ５Ｂの「右向き三角矢印」のボタンを押すことで、録画可能時間が放送時間に等しくなっていく様子が示されている。すなわち、図８（ａ）から図８（ｅ）までの操作により、録画レートＲは、次第に小さくなっている。
【０３５５】
なお、図８（ｅ）に示すように電子番組表の下方には、「＜＞：記録モード変更  現在録画モード：ＭＮ（１９）  選択した番組を、ディスクの残りにピッタリ録画できます。」のようなコメントを表示させている。
【０３５６】
このような表示方法によれば、リモートコントローラ５Ｂによるユーザの感覚的操作でも、録画レートＲの値を、録画可能時間が放送時間にちょうど等しいときに合せることが可能となる。
【０３５７】
図９（ａ）及び（ｂ）は、それぞれ録画レートＲを、録画可能時間が放送時間にちょうど等しくなるように１度のボタン操作で録画レートＲを下げる場合のＥＰＧ表示操作方法であり、「上向き三角矢印」のボタンを押すことで、１度に録画可能時間が放送時間にちょうど等しくなった様子が示されている。
【０３５８】
次に、図１０（ａ）〜図１１（ｇ）に基づき、現時点の録画レートＲでも空き容量にゆとりがある場合の電子番組表の表示方法及びその場合のリモートコントローラ５Ｂを用いたより具体的な操作方法について説明する。
【０３５９】
図１０（ａ）は、「ＭＨＫ白黒歌合戦」に対応する番組枠が選択されてねずみ色で塗り潰した表示となっている様子を示している。
【０３６０】
図１０（ｂ）に示すように、現時点の録画レートＲでも空き容量にゆとりがある場合、録画可能領域のサイズは、予約番組領域のサイズよりも大きく、左上がり斜線の網掛け表示の終了位置は、番組枠の右端を超えて表示されている。
【０３６１】
このような表示方法を採用することにより、空き容量にゆとりがあることが一見して把握できる。
【０３６２】
ここで、図１１（ａ）〜（ｇ）に基づき、リモートコントローラ５Ｂを使用したより具体的な電子番組表のＥＰＧ表示操作方法について説明する。
【０３６３】
図１１（ａ）〜（ｄ）は、それぞれ録画レートＲを徐々に上げていく場合のＥＰＧ表示操作方法であり、図１１（ｂ）に示すようにリモートコントローラ５Ｂの「左向き三角矢印」のボタンを押すことで、録画可能時間が放送時間にちょうど等しくなっていく様子が示されている。すなわち、図１１（ａ）から図１１（ｄ）までの操作により、録画レートＲは、次第に大きくなっている。
【０３６４】
次に、図１１（ｅ）〜（ｇ）は、それぞれ録画レートＲを録画可能時間が放送時間にちょうど等しくなるように１度のボタン操作で録画レートＲを上げる場合のＥＰＧ表示操作方法であり、「下向き三角矢印」のボタンを押すことで、１度に録画可能時間が放送時間にちょうど等しくなった様子が示されている。
【０３６５】
（ＥＰＧ表示方法その２）
図１２（ａ）〜図１４（ｄ）に基づき、現時点で設定されている録画レートＲで録画すると、空き容量が不足する場合におけるＥＰＧ表示/番組録画予約システム１の電子番組表の表示方法及びリモートコントローラ５Ｂを用いたより具体的な操作方法の他の例について簡単に説明する。
【０３６６】
図１２（ａ）及び図１３（ａ）に示すように、電子番組表は、放送される放送番組の種類によって分割された番組枠を含んでいる点は、ＥＰＧ表示方法その１と同様である。
【０３６７】
なお、図１２（ａ）では、「連続ドラマ１」〜「連続ドラマ３」まで、図１３（ａ）では「連続ドラマ１」〜「連続ドラマ６」までの番組枠がねずみ色で網掛け表示されているが、これは、ユーザにより予約番組としてこれらの連続ドラマ（連続番組）が選択されたこと示している。
【０３６８】
これにより、繰り返し録画（毎日、毎週等）などの設定においても、繰り返し録画する連続ドラマ等の数を電子番組表上で可視的に設定することができる。
【０３６９】
このように「予約番組」は、回を追って公表されるコンテンツ又は１回分ずつを逐次公表して完成するコンテンツなど互いに関連するコンテンツであっても良い。
【０３７０】
また、記録制御部４１は、回を追って公表される複数のコンテンツ又は１回分ずつを逐次公表して完成する複数のコンテンツのそれぞれを、それらの公表された順序に従って連続して記録（録画）しても良い。
【０３７１】
これにより、回を追って公表されるコンテンツ又は１回分ずつを逐次公表して完成するコンテンツが公表された順序に従って連続して記録されるので、例えば、第１回放送と第３回放送を記録し、第２回放送を記録漏れさせてしまうことを防止することができる。
【０３７２】
「回を追って公表されるコンテンツ」の例としては、数年間ほぼ毎日継続している人気テレビ放送番組（コンテンツ）などが該当する。また、「１回分ずつを逐次公表して完成するコンテンツ」の例としては、連続テレビドラマなどの第１話から最終話まで（コンテンツ）が該当する。
【０３７３】
また、以上の表示方法を採用することにより、電子番組表上で所望の連続ドラマが表示された番組枠を連続的に指定するといった簡単な操作で連続ドラマの録画漏れを防止して予約番組を指定することが可能となる。
【０３７４】
なお、図１２（ａ）では、電子番組表における一番上の枠である「ＥＰＧ枠」には「録画する記録メディアを選択して下さい」とコメント（comment）が表示されているので、ここでは、ユーザが、記録メディアとして「ＤＶＤ１」〜「ＤＶＤ３」を選択した場合を想定している。
【０３７５】
このようにユーザが、記録メディアとして「ＤＶＤ１」〜「ＤＶＤ３」のそれぞれを選択したことを示す「記録メディア指定アイコン」は、「連続ドラマ１」〜「連続ドラマ３」のそれぞれの番組枠の隣に表示されている。
【０３７６】
以上のように、予約された放送番組に対応する番組枠を避けつつ、該番組枠に最も近い番組枠に「記録メディア指定アイコン」を表示させるようにすれば、録画可能領域及び予約番組領域の表示を阻害することなく予約番組と、その予約番組が録画される記録メディアとの関係を一見して把握することが可能となる。
【０３７７】
次に、図１２（ｂ）及び図１２（ｂ）では、「連続ドラマ１」〜「連続ドラマ３」までの番組枠の一部が、左上がり斜線の網掛け表示となっている。
【０３７８】
ここで、上述した録画可能領域を、予約番組領域と対比して視覚的に把握できるように図１２（ａ）又は図１３（ａ）で選択された予約番組を示すねずみ色で網掛け表示されている。
【０３７９】
また、図１２（ｂ）の「連続ドラマ１」〜「連続ドラマ３」まで、又は図１３（ｂ）の「連続ドラマ１」〜「連続ドラマ６」までの番組枠のおける左上がり斜線の網掛け表示の領域（録画可能領域）が占める面積は、予約番組領域の面積と「録画可能時間/予約番組の放送時間」比との積で与えられる面積に対応付けられている。
【０３８０】
なお、図１２（ｂ）では、「ＥＰＧ枠」のコメントとして「録画レートを調整する？」と表示されており、ユーザは、このコメントに従って、左上がり斜線の網掛け表示の右端をドラッグすることにより、左上がり斜線の網掛け表示の領域の面積の変化に応じて録画レートＲを可視的に調整することができるようになっている。
【０３８１】
一方、図１３（ｂ）では、電子番組表の下方に「＜＞：録画モード変更  現在録画モード：ＳＰ（２２）  選択した番組は木曜日の途中まで繰り返し録画できます」と表示されている。また、図１４（ａ）〜（ｄ）では、左上がり斜線の網掛け表示の終了位置を徐々にドラッグさせたときに、左上がり斜線の網掛け表示の面積に応じてコメントが、「＜＞：録画モード変更  現在録画モード：ＳＰ（２２）  選択した番組は木曜日の途中まで繰り返し録画できます」〜「＜＞：録画モード変更  現在録画モード：ＭＮ（１６）  選択した番組は金曜日の途中まで繰り返し録画できます」とコメントが変化する様子が示されている。
【０３８２】
このように現在の録画モードと録画可能な放送番組などを示すコメントを併せて表示させても良い。これにより、連続ドラマのどの段階までがどのような録画モードで録画可能かが一見して把握できる。
【０３８３】
なお、図１２（ｂ）及び（ｃ）では、「矢印」に示すように、ドラッグする方向を右向きとした場合について示しているが、ドラッグする方向は、逆に左向きであっても良い。ドラッグする方向を右向きとした場合は、録画レートＲは小さくなる。また、ドラッグする方向を左向きとした場合は、録画レートＲは大きくなるようになっている。
【０３８４】
以上の表示方法によれば、予約番組領域（ねずみ色の網掛け表示された領域）と、録画可能領域（左上がり斜線の網掛け表示の領域）とを視認することにより、放送される放送番組（例えば、連続ドラマ）を所定の録画レートＲで繰り返し録画した場合の録画可能時間と放送時間との相対関係を電子番組表上で一見して把握することができる。
【０３８５】
また、録画レートＲの調整に応じて録画可能時間と放送時間との相対関係が変化するので、可視的に録画レートＲの凡その大きさを推認することが可能となる。
【０３８６】
また、録画可能時間と放送時間との相対関係（図１２（ｂ）など参照：ねずみ色の網掛け表示の領域＜予約番組領域＞と左上がり斜線の網掛け表示の領域＜録画可能領域＞）から可視的に凡その録画レートＲの大きさを推認することが可能となる。また、録画可能時間と放送時間との相対関係の変化から録画レートＲが上がったか下がったかを可視的に理解することができる。
【０３８７】
なお、リモートコントローラ５Ｂによる操作方法については、「ＥＰＧ表示方法その１」で説明した方法と同様なので、ここでは省略する。
【０３８８】
（ＥＰＧ表示方法その３）
図１５（ａ）〜図２０（ｄ）に基づき、現時点で設定されている録画レートＲで録画すると、空き容量が不足する場合におけるＥＰＧ表示/番組録画予約システム１の電子番組表の表示方法及びリモートコントローラ５Ｂを用いたより具体的な操作方法のさらに他の例について簡単に説明する。
【０３８９】
図１５（ａ）及び図１６（ａ）に示すように、電子番組表は、放送される放送番組の種類によって分割された番組枠を含んでいる点は、ＥＰＧ表示方法その１及びＥＰＧ表示方法その２と同様である。
【０３９０】
なお、図１５（ａ）では、「ＭＨＫ白黒歌合戦」、「宇宙画劇場」及び「ニュース」、図１６（ａ）では「お昼のロードショー」、「ワイドショー」、「ニュース」及び「ドラマ」の複数の互いに関連しない放送番組の番組枠がねずみ色で網掛け表示されているが、これは、ユーザにより予約番組としてこれらの放送番組が選択されたこと示している。
【０３９１】
これにより、複数の互いに関連しない放送番組などの設定においても、簡単に電子番組表上で可視的に設定することができる。
【０３９２】
また、以上の表示方法を採用することにより、電子番組表上で互いに関連性のない放送番組が複数表示されたそれぞれの番組枠を連続的に指定するといった簡単な操作で予約番組を指定することが可能となる。
【０３９３】
なお、図１５（ａ）では、電子番組表における一番上の番組枠である「ＥＰＧ枠」には「録画する記録メディアを選択して下さい」とコメント（comment）が表示されているので、ここでは、ユーザが、記録メディアとして「ＤＶＤ１」〜「ＤＶＤ３」を選択した場合を想定する。
【０３９４】
このようにユーザが、記録メディアとして「ＤＶＤ１」〜「ＤＶＤ３」のそれぞれを選択したことを示す「記録メディア指定アイコン」は、「ＭＨＫ白黒歌合戦」、「宇宙画劇場」及び「ニュース」のそれぞれの番組枠の隣に表示されている。
【０３９５】
なお、図１５（ａ）の例のように予約された番組枠の右隣の番組枠内に「記録メディア指定アイコン」を表示できないときは、左隣の番組枠内に「記録メディア指定アイコン」を表示すれば良い。
【０３９６】
以上のように、予約された放送番組に対応する番組枠を避けつつ、該番組枠に最も近い番組枠に「記録メディア指定アイコン」を表示させるようにすれば、録画可能領域及び予約番組領域の表示を阻害することなく予約番組と、その予約番組が録画される記録メディアとの関係を電子番組表上で一見して把握することが可能となる。
【０３９７】
次に、図１５（ｂ）では、「ＭＨＫ白黒歌合戦」、「宇宙画劇場」の番組枠の全領域及び「ニュース」の番組枠の一部の領域、及び図１６（ｂ）では、「お昼のロードショー」、「ワイドショー」の番組枠の全領域及び「ニュース」の番組枠の一部の領域までが、左上がり斜線の網掛け表示となっている。
【０３９８】
ここで、上述した録画可能領域を、予約番組領域と対比して視覚的に把握できるように図１５（ａ）又は図１６（ａ）で選択された予約番組を示すねずみ色で網掛け表示されている。
【０３９９】
また、図１５（ｂ）又は図１６（ｂ）の「ニュース」の番組枠の一部の領域までの番組枠における左上がり斜線の網掛け表示の領域（録画可能領域）が占める面積は、予約番組領域の面積と「録画可能時間/放送時間」比との積で与えられる面積に対応付けられている。
【０４００】
なお、図１５（ｂ）では、「ＥＰＧ枠」のコメントとして「録画レートを調整する？」と表示されており、ユーザは、このコメントに従って、左上がり斜線の網掛け表示の右端をドラッグすることにより、左上がり斜線の網掛け表示の領域の面積の変化に応じて録画レートＲを調整することができるようになっている。
【０４０１】
なお、図１６（ｂ）に示すように選択された放送番組に対応するそれぞれの番組枠同士が非連続に離れて存在していても左上がり斜線の網掛け表示は、選択された放送番組に対応するそれぞれの番組枠上に非連続に表示される。
【０４０２】
ここで、図１７（ａ）〜２０（ｇ）に基づき、リモートコントローラ５Ｂを使用したより具体的な電子番組表のＥＰＧ表示操作方法について説明する。
【０４０３】
図１７（ａ）〜（ｈ）は、それぞれ録画レートＲを徐々に下げていく場合のＥＰＧ表示操作方法であり、図１７（ａ）に示すようにリモートコントローラ５Ｂの「右向き三角矢印」のボタンを押すことで、図１７（ａ）〜（ｄ）では、「お昼のロードショー」、「ワイドショー」及び「ニュース」の録画可能時間が放送時間にちょうど等しくなっていく様子が示されている。すなわち、図１７（ａ）から図８（ｈ）までの操作により、録画レートＲは、次第に小さくなっている。
【０４０４】
また、図１７（ｅ）〜（ｈ）は、それぞれ録画レートＲを徐々に下げていく場合のＥＰＧ表示操作方法であり、図１７（ａ）に示すようにリモートコントローラ５Ｂの「右向き三角矢印」のボタンを押すことで、図１７（ｅ）〜（ｈ）では、「お昼のロードショー」、「ワイドショー」、「ニュース」及び「ドラマ」までの放送番組を録画するときの録画可能時間が放送時間にちょうど等しくなっていく様子が示されている。すなわち、図１７（ｅ）〜（ｈ）までの操作により、録画レートＲは、次第に小さくなっている。
【０４０５】
図１８（ａ）〜（ｅ）は、それぞれ録画レートＲを、録画可能時間が放送時間にちょうど等しくなるように２度のボタン操作で録画レートＲを下げる場合のＥＰＧ表示操作方法であり、「上向き三角矢印」のボタンを押すことで、２度で録画可能時間が放送時間にちょうど等しくなった様子が示されている。
【０４０６】
すなわち、左上がりの網掛け表示が特定の番組枠の途中にあるときは、その番組枠の終了位置までを一度に網掛け表示できるようにしている。
【０４０７】
次に、図１９（ａ）〜図２０（ｇ）に基づき、現時点の録画レートＲでも空き容量にゆとりがある場合の電子番組表の表示方法及び、その場合のリモートコントローラ５Ｂを用いたより具体的な操作方法について説明する。
【０４０８】
図１９（ａ）は、「ＭＨＫ白黒歌合戦」に対応する番組枠が選択されてねずみ色で塗り潰した表示となっている様子を示している。
【０４０９】
図１９（ｂ）に示すように、現時点の録画レートＲでも空き容量にゆとりがある場合、録画可能領域のサイズは、予約番組領域のサイズよりも大きく、左上がり斜線の網掛け表示の終了位置は、例えば、「ワイドショー」の番組枠の右端を超えて表示されている。
【０４１０】
このような表示方法を採用することにより、空き容量にゆとりがあることが一見して把握できる。
【０４１１】
ここで、図１９（ｂ）〜（ｉ）に基づき、リモートコントローラ５Ｂを使用したより具体的な電子番組表のＥＰＧ表示操作方法について説明する。
【０４１２】
図１９（ｂ）〜（ｉ）は、それぞれ録画レートＲを徐々に上げていく場合のＥＰＧ表示操作方法であり、図１９（ａ）に示すようにリモートコントローラ５Ｂの「左向き三角矢印」のボタンを押すことで、録画可能時間が放送時間にちょうど等しくなっていく様子が示されている。すなわち、図１９（ｂ）〜（ｅ）又は図１９（ｆ）〜（ｉ）までの操作により、録画レートＲは、次第に大きくなっている。
【０４１３】
次に、図１１（ａ）〜（ｇ）は、それぞれ録画レートＲを全録画情報量が空き容量に等しい情報量となるように２度のボタン操作で録画レートＲを上げる場合のＥＰＧ表示操作方法であり、「下向き三角矢印」のボタンを２回を押すことで、２回の操作で録画可能時間が放送時間にちょうど等しくなった様子が示されている。
【０４１４】
すなわち、左上がりの網掛け表示が特定の番組枠の途中にあるときは、その番組枠の開始位置までの網掛け表示が１度に消えるようにしている。
【０４１５】
〔４．まとめ〕
以上説明したように、ＥＰＧ表示/番組録画予約システム１は、主として次のような機能を有するように構成する。
【０４１６】
（１）電子番組表の中の各番組枠から、録画予約したい番組を選択・確定する機能（予約番組特定機能）。
【０４１７】
（２）選択・確定した番組の放送時間を特定する機能（放送時間特定機能）。
【０４１８】
（３）録画するための録画レートをユーザが調整できる機能（録画レート調整機能）。
【０４１９】
（４）記録するメディアに記録可能な残容量を特定する機能（空き容量特定機能）。
【０４２０】
（５）（４）で特定した残容量に、（３）で設定した録画レートで録画できる時間を算出する機能（録画可能時間特定機能）。
【０４２１】
（６）電子番組表の選択した予約番組枠上に、番組開始位置を基点に（５）で算出した録画可能時間までを録画可能領域として表示し、選択番組と記録メディアの残量の関係をユーザが容易に視認できる機能（録画可能時間と放送時間との相対関係表示機能）。
【０４２２】
（７）また、録画レート調整部２４３は、主としてユーザの以下のニーズに従って録画レートを調整できるように構成する。
【０４２３】
１．予約番組を空き容量にピッタリ記録できるように録画レートを調整できる。例えば、予約番組が２時間だとして、録画可能時間が１時間３０分だった場合録画可能時間が２時間になるよう、録画レートを下げて調整できる。
【０４２４】
２．記録メディアに空き容量を残して、予約番組を記録できる。例えば、予約番組を録画したあとメディアに３０分空きを残したい場合、予約番組が２時間、録画可能時間も２時間、３０分の空きが残るようにするため録画レートを下げて、録画可能時間を２時間３０分になるよう調整できる。
【０４２５】
３．予約番組を所定の時間まで録画できる。例えば、予約番組の前半のみを高画質で録画したい場合予約番組が２時間、録画可能時間も２時間で、番組の前半１時間を録画するため録画レートを上げて、録画可能時間を１時間になるよう調整できる。
【０４２６】
４．予約番組上に表示される、記録メディアへの録画可能時間を視認しながら、１から３までのようにユーザが録画レートを任意に設定できるようにする。
【０４２７】
以上のＥＰＧ表示/番組録画予約システム１によれば、電子番組表で選択された番組枠を網掛け等で表示・設定することで予約番組と予約していない放送番組とを一見して把握できる。
【０４２８】
また、番組枠が占める領域を少なくとも２種類の網掛け等で表示することにより、特定の録画レートで録画するときの録画可能時間と、予約番組の放送時間との相対関係を可視的に表示・設定できる。
【０４２９】
さらに、リモコン操作により、１つの番組だけではなく、複数の番組を録画する場合もドラッグ操作により録画レートを連続して可視的に変更できる。
【０４３０】
また、繰り返し録画（毎日、毎週等）の設定においても、繰り返し録画の連続ドラマ数を電子番組表上で可視的に設定し、空き容量に応じてリモコン操作による録画モード（録画レート）を任意に変更でき、設定された録画レートでの録画可能限度を可視的に表示する。
【０４３１】
また、空き容量（残時間）の算出は、記録メディアの残量だけから算出しても良く。また、空き容量（残時間）の算出は、機器に既に予約されている予約番組の録画情報量を含めるか否かの選択が可能である。記録メディアは複数種類あっても良く、録画順序の設定もできる。
【０４３２】
以上により、録画容量に限度がある記録メディアへの録画設定時に、電子番組表の番組枠上にて、記録メディアの残容量及び録画レートの設定を可視的に表示し、ユーザが容易に残容量を把握し、録画したい番組を録画するための設定を行うことができる。また、記録メディアへの録画漏れを防止し、効率的な録画を行い、使用者の利便性向上を図ることができる。
【０４３３】
なお、本発明は、以下のようにも表現できる。
【０４３４】
すなわち、本発明の情報表示/記録装置は、電子番組表情報を表示する表示部を備え、該電子番組表情報上に表示されたコンテンツを所定の記録メディアに記録することが可能な情報表示/記録装置であって、前記電子番組表情報上に表示された番組コンテンツのうち、記録を予約する番組コンテンツを特定する予約コンテンツ特定手段と、特定した前記予約コンテンツの記録するための必要時間を取得する予約記録必要時間取得手段と、前記番組コンテンツを記録するときの記録レートを調整する記録レート調整手段と、前記記録メディアの空き容量を特定する空き容量特定手段と、前記空き容量特定手段によって特定された前記空容量範囲に、前記記録レート調整手段によって調整された記録レートで記録するときに記録可能な時間を算出する記録可能時間算出手段と、前記記録可能時間算出手段で算出した記録が可能な時間を、前記予約コンテンツ特定手段で特定した、前記電子番組表の番組コンテンツ上に表示する表示制御手段とを備えていても良い。
【０４３５】
また、本発明の情報表示/記録装置は、前記電子番組表情報は、前記電子番組表情報は、コンテンツ毎に設けられた番組枠を含んでおり、前記予約コンテンツ領域は、前記予約コンテンツ特定手段によって特定された予約コンテンツに対応する番組枠に沿う予約番組領域として表示され、前記記録可能時間は、前記予約番組領域上の開始位置を基点に、予約番組領域上に記録可能領域が表示されても良い。
【０４３６】
これにより、ユーザが電子番組表の番組枠上に、現時点での記録レートで記録可能な時間までを、記録可能領域として重畳して表示することで記録したい番組に対し、現記録レートで所定の記録メディアにコンテンツを記録するときの記録可能時間と該番組の放送時間との相対関係を一見して把握することができる。
【０４３７】
また、本発明の情報表示/記録装置は、前記空き容量特定手段は、前記記録メディアへの記録が既に予約されているコンテンツが必要とする記録容量を、前記記録メディアの記録可能時間から除外するか否かを、ユーザの選択に従って決定しても良い。
【０４３８】
これにより、既に予約されているコンテンツを含めて又は予約設定するか、又は既に予約されているコンテンツを含めないかの選択が可能となる。
【０４３９】
また、本発明の情報表示/記録装置の制御方法は、電子番組表情報を表示する表示部を備え、該電子番組表情報上に表示されたコンテンツを所定の記録メディアに記録することが可能な情報表示/記録装置の制御方法であって、前記コンテンツのうち、記録が予約された予約コンテンツを特定する予約コンテンツ特定ステップと、コンテンツを記録するときの記録レートを調整する記録レート調整ステップと、前記予約コンテンツ特定ステップで特定された予約コンテンツを、前記記録レートで記録するのに必要な予約記録容量を算出する予約記録容量算出ステップと、前記記録メディアの空き容量を特定する空き容量特定ステップと、前記空き容量特定ステップで特定された前記空き容量の範囲内に、前記記録レート調整ステップで調整された記録レートでコンテンツを記録するときの記録可能容量を算出する記録可能容量算出ステップと、前記予約記録容量算出ステップで算出された予約記録容量に対応する予約コンテンツ領域と、前記記録可能容量算出ステップで算出された記録可能容量に対応する記録可能領域とを、前記予約コンテンツ領域の面積に対する前記記録可能領域の面積の比が、前記予約記録容量に対する前記記録可能容量の比と等しくなるように前記電子番組表情報上に表示する表示制御ステップとを含んでいても良い。
【０４４０】
なお、本発明は、上述した各実施形態に限定されるものではなく、請求項に示した範囲で種々の変更が可能であり、異なる実施形態にそれぞれ開示された技術的手段を適宜組合せて得られる実施形態についても本発明の技術的範囲に含まれる。
【０４４１】
最後に、ＥＰＧ表示/番組録画予約システム１の各ブロック、特にＥＰＧ/ＯＳＤ予約処理部２４は、ハードウェアロジックによって構成してもよいし、次のようにＣＰＵを用いてソフトウェア（例えば、情報表示/記録プログラムなど）によって実現してもよい。
【０４４２】
すなわち、ＥＰＧ表示/番組録画予約システム１は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の、記憶装置（コンピュータ読取可能な記録媒体）などを備えている。そして、本発明の目的は、上述した機能を実現するソフトウェアであるＥＰＧ表示/番組録画予約システム１の制御プログラムのプログラムコード（実行形式プログラム、中間コードプログラム、ソースプログラム）をコンピュータで読み取り可能に記録した記録媒体を、前記ＥＰＧ表示/番組録画予約システム１に供給し、そのコンピュータ（又はＣＰＵやＭＰＵ）が記録媒体に記録されているプログラムコードを読み出し実行することによっても、達成可能である。
【０４４３】
前記記録媒体としては、例えば、磁気テープやカセットテープ等のテープ系、フロッピー（登録商標）ディスク/ハードディスク等の磁気ディスクやコンパクトディスク−ＲＯＭ/ＭＯ/ＭＤ/デジタルビデオデイスク/コンパクトディスク−Ｒ等の光ディスクを含むディスク系、ＩＣカード（メモリカードを含む）/光カード等のカード系、あるいはマスクＲＯＭ/ＥＰＲＯＭ/ＥＥＰＲＯＭ/フラッシュＲＯＭ等の半導体メモリ系などを用いることができる。
【０４４４】
また、ＥＰＧ表示/番組録画予約システム１を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。
【産業上の利用可能性】
【０４４５】
本発明は、ＥＰＧ表示機能を有する電子機器やシステム、特に、情報表示装置、情報記録再生装置及びこれらを連携させた情報表示/記録システムなどに適用できる。具体的には、録画装置に接続されたデジタルＴＶや、ＢＤレコーダー内蔵型デジタルＴＶなどに広く適用することができる。例えば、空き容量が僅かになったＨＤＤ等や、ＢＤ、ＤＶＤ等の録画容量に制限のあるものを内蔵する電子機器などに適用できる。
【符号の説明】
【０４４６】
１    ＥＰＧ表示/番組録画予約システム（情報表示/記録装置）
７    液晶表示装置
１９    表示制御部（表示制御手段）
２４    ＥＰＧ/ＯＳＤ予約処理部
３２    ＨＤＤ（記録メディア）
３３    ＢＤ/ＤＶＤ（記録メディア）
３４    スティックメモリ（記録メディア）
４１    記録制御部（記録制御手段）
２４１    予約番組特定部（予約コンテンツ特定手段，配信時間特定手段）
２４２    記録メディア決定部（記録メディア決定手段）
２４３    録画レート調整部（記録レート調整手段）
２４４    空き容量特定部（空き容量特定手段）
２４５    録画可能時間特定部（記録可能時間特定手段）
２４６    ＥＰＧ表示処理部（表示制御手段）
Ｒ    録画レート（記録レート）
【図１】
2010273217.tif 000003
【図２】
2010273217.tif 000004
【図３】
2010273217.tif 000005
【図４】
2010273217.tif 000006
【図５】
2010273217.tif 000007
【図６】
2010273217.tif 000008
【図７】
2010273217.tif 000009
【図８】
2010273217.tif 000010
【図９】
2010273217.tif 000011
【図１０】
2010273217.tif 000012
【図１１】
2010273217.tif 000013
【図１２】
2010273217.tif 000014
【図１３】
2010273217.tif 000015
【図１４】
2010273217.tif 000016
【図１５】
2010273217.tif 000017
【図１６】
2010273217.tif 000018
【図１７】
2010273217.tif 000019
【図１８】
2010273217.tif 000020
【図１９】
2010273217.tif 000021
【図２０】
2010273217.tif 000022